(57)【要約】【課題】１７ＰＰ変調が採用された再生専用のブルーレイディスクに対してユニークＩＤを記録する。【解決手段】  再生専用の光ディスク１には、ユニークＩＤが記録される特定のフィジカルクラスタが設定されている。本発明では、特定のフィジカルクラスタに記録されるユーザデータを全て０とした状態で、ピット/ランドの凹凸パターンを作成し、一旦通常通りに大量のディスクを成形する。その後、ディスク一つ一つに対して固有のユニークＩＤを発生し、そのビット情報に応じて上記特定のフィジカルクラスタ内の所定位置のランドに対して高出力レーザを照射し、そのランドをピット化する。ただし、ランドをピット化した後も、１７ＰＰ変調ルールに従った凹凸パターンとなるようにする。【選択図】図２
2006134385.tif 000002
【特許請求の範囲】
【請求項１】
情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクを製造する光ディスク製造方法において、
光ディスク原盤を用いて上記再生専用の光ディスクを作成するディスク作成工程と、
再生パワーよりも大きいパワーのレーザ光をランドに照射してそのランドをピットと同等の光学特性とするレーザ追記処理を行うことにより、上記再生専用の光ディスク上の特定のクラスタに、ディスク固有の識別情報を追記する識別情報追記工程とを有し、
上記ディスク作成工程では、上記識別情報が追記される特定のクラスタ内の可変長変調前の情報ビット列を、特定の値とした上記再生専用の光ディスクを作成し、
上記識別情報追記工程では、それがピットに置き換わったとしてもビット列全体が上記可変長変調の規則に従っている位置のランド（特定ランド）を、上記レーザ追記処理によりピットと同等の光学特性とすること
を特徴とする光ディスク製造方法。
【請求項２】
上記ディスク作成工程では、上記識別情報が追記される特定のクラスタ内の可変長変調前の情報ビット列を、全て０とした上記再生専用の光ディスクを作成すること
を特徴とする請求項１記載の光ディスク製造方法。
【請求項３】
情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクを製造する光ディスク製造方法において、
光ディスク原盤を用いて上記再生専用の光ディスクを作成するディスク作成工程と、
再生パワーよりも大きいパワーのレーザ光をランドに照射してそのランドをピットと同等の光学特性とするレーザ追記処理を行うことにより、上記再生専用の光ディスク上の特定のクラスタに、ディスク固有の識別情報を追記する識別情報追記工程とを有し、
上記識別情報追記工程では、
識別情報の各ビットに対応した連続領域を、上記クラスタ中の所定位置に設定しておき、
各連続領域中に含まれている、それがピットに置き換わったとしてもビット列全体が上記可変長変調の規則に従っている位置のランド（特定ランド）を、識別情報の各ビットの値に応じて上記レーザ追記処理によりピットと同等の光学特性とすること
を特徴とする光ディスク製造方法。
【請求項４】
上記可変長変調は、１７ＰＰ（パリティ保存）変調をした後にＮＲＺＩ変換する変調であること
を特徴とする請求項３記載の光ディスク製造方法。
【請求項５】
上記連続領域は、変調前のビット列の４バイト以上の連続した物理領域であること
を特徴とする請求項３記載の光ディスク製造方法。
【請求項６】
上記可変長変調は、１７ＰＰ（パリティ保存）変調をした後にＮＲＺＩ変換する変調であり、
上記連続領域は、変調後のランドとピットのパターンにおいて以下のパターンの全てを含むものであること
を特徴とする請求項５記載の光ディスク製造方法。
３Ｔピット-２Ｔランド-３Ｔピット
３Ｔランド-２Ｔピット-３Ｔランド
４Ｔ以上のピット-４Ｔ以上のランド
４Ｔ以上のランド-４Ｔ以上のピット
なお、Ｔは、変調周期である。
【請求項７】
上記連続領域は、変調前のビット列の４バイト連続データが１６進数表記で（８７，８Ｆ，８８，８Ａ）であること
を特徴とする請求項６記載の光ディスク製造方法。
【請求項８】
クラスタには、変調後のビット列の所定数のバイト毎に、所定のビットパタンのフレームシンクが含まれており、
上記連続領域は、上記フレームシンクに続く領域に設けられていること
を特徴とする請求項３記載の光ディスク製造方法。
【請求項９】
クラスタには、変調後のビット列の所定数のビット毎に、所定のＤＣコントロールビットが含まれており、
上記連続領域と上記フレームシンクとの間には、偶数個のＤＣコントロールビットが含まれていること
を特徴とする請求項３記載の光ディスク製造方法。
【請求項１０】
上記識別情報追記工程では、
上記連続領域を、クラスタ中のエラー訂正符号以外の領域に設定すること
を特徴とする請求項３記載の光ディスク製造方法。
【請求項１１】
上記識別情報追記工程では、
上記連続領域を、クラスタ中のエラー検出コード以外の領域に設定すること
を特徴とする請求項１０記載の光ディスク製造方法。
【請求項１２】
上記識別情報追記工程では、
識別情報の各ビットのそれぞれに対して、第１の連続領域及び第２の連続領域の２つの連続領域を設定しておき、
識別情報のビットの値が０の場合には、そのビット位置に対応した第１の連続領域に含まれている特定ランドを上記レーザ追記処理によりピットと同等の光学特性とし、
識別情報のビットの値が１の場合には、そのビット位置に対応した第２の連続領域に含まれている特定ランドを上記レーザ追記処理によりピットと同等の光学特性とすること
を特徴とする請求項３記載の光ディスク製造方法。
【請求項１３】
上記可変長変調は、１７ＰＰ（パリティ保存）変調とＮＲＺＩ変調により構成されていること
を特徴とする請求項１２記載の光ディスク製造方法。
【請求項１４】
上記第１及び第２の連続領域は、それぞれ、変調前のビット列の４バイト以上の連続した物理領域であること
を特徴とする請求項１２記載の光ディスク製造方法。
【請求項１５】
情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクにおいて、
特定のクラスタには、再生パワーよりも大きいパワーのレーザ光をランドに照射してそのランドをピットと同等の光学特性とするレーザ追記処理により、ディスク固有の識別情報が追記されており、
上記ディスク固有の識別情報は、それがピットに置き換わったとしてもビット列全体が上記可変長変調の規則に従っている位置のランド（特定ランド）が、上記レーザ追記処理でピットと同等の光学特性とされることにより、追記されており、
識別情報が追記されているクラスタの可変長変調前の情報ビット列は、特定の値とされていること
を特徴とする光ディスク。
【請求項１６】
識別情報が追記される特定のクラスタ内の可変長変調前の情報ビット列は、全て０とされていること
を特徴とする請求項１５記載の光ディスク。
【請求項１７】
情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクにおいて、
特定のクラスタには、再生パワーよりも大きいパワーのレーザ光をランドに照射してそのランドをピットと同等の光学特性とするレーザ追記処理により、ディスク固有の識別情報が追記されており、
上記特定のクラスタには、識別情報の各ビットに対応した連続領域が所定位置に設定してあり、
上記連続領域には、それがピットに置き換わったとしてもビット列全体が上記可変長変調の規則に従っている位置のランド（特定ランド）に、識別情報の対応するビットの値が、上記レーザ追記処理により記録されていること
を特徴とする光ディスク。
【請求項１８】
上記可変長変調は、１７ＰＰ（パリティ保存）変調をした後にＮＲＺＩ変換する変調であること
を特徴とする請求項１７記載の光ディスク。
【請求項１９】
上記連続領域は、変調前のビット列の４バイト以上の連続した物理領域であること
を特徴とする請求項１７記載の光ディスク。
【請求項２０】
上記可変長変調は、１７ＰＰ（パリティ保存）変調をした後にＮＲＺＩ変換する変調であり、
上記連続領域は、変調後のランドとピットのパターンにおいて以下のパターンの全てを含むものであること
を特徴とする請求項１９記載の光ディスク。
３Ｔピット-２Ｔランド-３Ｔピット
３Ｔランド-２Ｔピット-３Ｔランド
４Ｔ以上のピット-４Ｔ以上のランド
４Ｔ以上のランド-４Ｔ以上のピット
なお、Ｔは、変調周期である。
【請求項２１】
上記連続領域は、変調前のビット列の４バイト連続データが１６進数表記で（８７，８Ｆ，８８，８Ａ）であること
を特徴とする請求項２０記載の光ディスク。
【請求項２２】
クラスタには、変調後のビット列の所定数のバイト毎に、所定のビットパタンのフレームシンクが含まれており、
上記連続領域は、上記フレームシンクに続く領域に設けられていること
を特徴とする請求項１７記載の光ディスク。
【請求項２３】
クラスタには、変調後のビット列の所定数のビット毎に、所定のＤＣコントロールビットが含まれており、
上記連続領域と上記フレームシンクとの間には、偶数個のＤＣコントロールビットが含まれていること
を特徴とする請求項１７記載の光ディスク。
【請求項２４】
上記連続領域は、クラスタ中のエラー訂正符号以外の領域に設定されていること
を特徴とする請求項１７記載の光ディスク。
【請求項２５】
上記連続領域は、クラスタ中のエラー検出コード以外の領域に設定されていること
を特徴とする請求項２４記載の光ディスク。
【請求項２６】
上記特定のクラスタには、識別情報の各ビットのそれぞれに対して、第１の連続領域及び第２の連続領域の２つの連続領域が設定してあり、
第１の連続領域の特定ランドが上記レーザ追記処理によりピットと同等の光学特性とされている場合には、対応する識別情報のビットの値は０であり、
第２の連続領域の特定ランドが上記レーザ追記処理によりピットと同等の光学特性とされている場合には、対応する識別情報のビットの値は１であること
を特徴とする請求項１７記載の光ディスク。
【請求項２７】
上記可変長変調は、１７ＰＰ（パリティ保存）変調をして、ＮＲＺＩ変調する変調であること
を特徴とする請求項２６記載の光ディスク。
【請求項２８】
上記第１及び第２の連続領域は、それぞれ、変調前のビット列の４バイト以上の連続した物理領域であること
を特徴とする請求項２６記載の光ディスク。
【請求項２９】
情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクを製造する光ディスク製造装置において、
再生パワーよりも大きいパワーのレーザ光をランドに照射してそのランドをピットと同等の光学特性とするレーザ追記処理を行うことにより、上記再生専用の光ディスク上の特定のクラスタに、ディスク固有の識別情報を追記する識別情報追記手段を有し、
識別情報が追記される前の再生専用の光ディスクは、上記識別情報が追記される特定のクラスタ内の可変長変調前の情報ビット列が、特定の値とされており、
上記識別情報追記手段は、それがピットに置き換わったとしてもビット列全体が上記可変長変調の規則に従っている位置のランド（特定ランド）を、上記レーザ追記処理によりピットと同等の光学特性とすること
を特徴とする光ディスク製造装置。
【請求項３０】
識別情報が追記される前の再生専用の光ディスクは、上記識別情報が追記される特定のクラスタ内の可変長変調前の情報ビット列が、全て０とされていること
を特徴とする請求項２９記載の光ディスク製造装置。
【請求項３１】
情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクを製造する光ディスク製造装置において、
再生パワーよりも大きいパワーのレーザ光をランドに照射してそのランドをピットと同等の光学特性とするレーザ追記処理を行うことにより、上記再生専用の光ディスク上の特定のクラスタに、ディスク固有の識別情報を追記する識別情報追記手段を有し、
上記識別情報追記手段は、
識別情報の各ビットに対応した連続領域を、上記クラスタ中の所定位置に設定しておき、
各連続領域中に含まれている、それがピットに置き換わったとしてもビット列全体が上記可変長変調の規則に従っている位置のランド（特定ランド）を、識別情報の各ビットの値に応じて上記レーザ追記処理によりピットと同等の光学特性とすること
を特徴とする光ディスク製造装置。
【請求項３２】
上記可変長変調は、１７ＰＰ（パリティ保存）変調をした後にＮＲＺＩ変調する変調であること
を特徴とする請求項３１記載の光ディスク製造装置。
【請求項３３】
上記連続領域は、変調前のビット列の４バイト以上の連続した物理領域であること
を特徴とする請求項３１記載の光ディスク製造装置。
【請求項３４】
上記可変長変調は、１７ＰＰ（パリティ保存）変調をした後にＮＲＺＩ変換する変調であり、
上記連続領域は、変調後のランドとピットのパターンにおいて以下のパターンの全てを含むものであること
を特徴とする請求項３３記載の光ディスク製造装置。
３Ｔピット-２Ｔランド-３Ｔピット
３Ｔランド-２Ｔピット-３Ｔランド
４Ｔ以上のピット-４Ｔ以上のランド
４Ｔ以上のランド-４Ｔ以上のピット
なお、Ｔは、変調周期である。
【請求項３５】
上記連続領域は、変調前のビット列の４バイト連続データが１６進数表記で（８７，８Ｆ，８８，８Ａ）であること
を特徴とする請求項３４記載の光ディスク製造装置。
【請求項３６】
クラスタには、変調後のビット列の所定数のバイト毎に、所定のビットパタンのフレームシンクが含まれており、
上記連続領域は、上記フレームシンクに続く領域に設けられていること
を特徴とする請求項３１記載の光ディスク製造装置。
【請求項３７】
クラスタには、変調後のビット列の所定数のビット毎に、所定のＤＣコントロールビットが含まれており、
上記連続領域と上記フレームシンクとの間には、偶数個のＤＣコントロールビットが含まれていることを特徴とする請求項３１記載の光ディスク記録装置。
【請求項３８】
上記識別情報追記手段は、
上記連続領域を、クラスタ中のエラー訂正符号以外の領域に設定すること
を特徴とする請求項３１記載の光ディスク製造装置。
【請求項３９】
上記識別情報追記手段は、
上記連続領域を、クラスタ中のエラー検出コード以外の領域に設定すること
を特徴とする請求項３８記載の光ディスク製造装置。
【請求項４０】
上記識別情報追記手段は、
識別情報の各ビットのそれぞれに対して、第１の連続領域及び第２の連続領域の２つの連続領域を設定しておき、
識別情報のビットの値が０の場合には、そのビット位置に対応した第１の連続領域に含まれている特定ランドを上記レーザ追記処理によりピットと同等の光学特性とし、
識別情報のビットの値が１の場合には、そのビット位置に対応した第２の連続領域に含まれている特定ランドを上記レーザ追記処理によりピットと同等の光学特性とすること
を特徴とする請求項３１記載の光ディスク製造装置。
【請求項４１】
上記可変長変調は、１７ＰＰ（パリティ保存）変調をして、ＮＲＺＩ変調する変調であること
を特徴とする請求項４０記載の光ディスク製造装置。
【請求項４２】
上記第１及び第２の連続領域は、それぞれ、変調前のビット列の４バイト以上の連続した物理領域であること
を特徴とする請求項４０記載の光ディスク製造装置。
【請求項４３】
情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクを製造する光ディスク製造方法において、
上記光ディスクのランド/ピットパターンとなる変調後のビット列を生成する情報ビット列生成工程と、
上記変調後ビット列の所定のランドをピットに反転するパターン反転処理を行うことにより、上記再生専用の光ディスク上の特定のクラスタに、識別情報を追記する識別情報追記工程と、
上記識別情報が追記された後の変調後ビット列が記録された光ディスク原盤を生成する原盤生成工程と、
上記光ディスク原盤を用いて上記再生専用の光ディスクを作成するディスク作成工程とを有し、
上記情報ビット列生成工程では、上記識別情報が追記される特定のクラスタ内の可変長変調前の情報ビット列を、特定の値とした上記再生専用の光ディスクを作成し、
上記識別情報追記工程では、それがピットに置き換わったとしてもビット列全体が上記可変長変調の規則に従っている位置のランド（特定ランド）を、上記パターン反転処理によりピット化すること
を特徴とする光ディスク製造方法。
【請求項４４】
上記情報ビット列生成工程では、上記識別情報が追記されるクラスタの可変長変調前の情報ビット列を、全て０とした上記再生専用の光ディスクを作成すること
を特徴とする請求項４３記載の光ディスク製造方法。
【請求項４５】
情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクを製造する光ディスク製造方法において、
上記光ディスクのランド/ピットパターンとなる変調後のビット列を生成する情報ビット列生成工程と、
上記変調後ビット列の所定のランドをピットに反転するパターン反転処理を行うことにより、上記再生専用の光ディスク上の特定のクラスタに、識別情報を追記する識別情報追記工程と、
上記識別情報が追記された後の変調後ビット列が記録された光ディスク原盤を生成する原盤生成工程と、
上記光ディスク原盤を用いて上記再生専用の光ディスクを作成するディスク作成工程とを有し、
上記識別情報追記工程では、
識別情報の各ビットに対応した連続領域を、上記クラスタ中の所定位置に設定しておき、
各連続領域中に含まれている、それがピットに置き換わったとしてもビット列全体が上記可変長変調の規則に従っている位置のランド（特定ランド）を、識別情報の各ビットの値に応じて上記パターン反転処理によりピット化すること
を特徴とする光ディスク製造方法。
【請求項４６】
上記可変長変調は、１７ＰＰ（パリティ保存）変調をして、ＮＲＺＩ変調する変調であること
を特徴とする請求項４５記載の光ディスク製造方法。
【請求項４７】
上記連続領域は、変調前のビット列の４バイト以上の連続した物理領域であること
を特徴とする請求項４５記載の光ディスク製造方法。
【請求項４８】
上記可変長変調は、１７ＰＰ（パリティ保存）変調をした後にＮＲＺＩ変換する変調であり、
上記連続領域は、変調後のランドとピットのパターンにおいて以下のパターンの全てを含むものであること
を特徴とする請求項４７記載の光ディスク製造方法。
３Ｔピット-２Ｔランド-３Ｔピット
３Ｔランド-２Ｔピット-３Ｔランド
４Ｔ以上のピット-４Ｔ以上のランド
４Ｔ以上のランド-４Ｔ以上のピット
なお、Ｔは、変調周期である。
【請求項４９】
上記連続領域は、変調前のビット列の４バイト連続データが１６進数表記で（８７，８Ｆ，８８，８Ａ）であること
を特徴とする請求項４８記載の光ディスク製造方法。
【請求項５０】
クラスタには、変調後のビット列の所定数のバイト毎に、所定のビットパタンのフレームシンクが含まれており、
上記連続領域は、上記フレームシンクに続く領域に設けられていること
を特徴とする請求項４５記載の光ディスク製造方法。
【請求項５１】
クラスタには、変調後のビット列の所定数のビット毎に、所定のＤＣコントロールビットが含まれており、
上記連続領域と上記フレームシンクとの間には、偶数個のＤＣコントロールビットが含まれていること
を特徴とする請求項４５記載の光ディスク製造方法。
【請求項５２】
上記識別情報追記工程では、
上記連続領域を、クラスタ中のエラー訂正符号以外の領域に設定すること
を特徴とする請求項４５記載の光ディスク製造方法。
【請求項５３】
上記識別情報追記工程では、
上記連続領域を、クラスタ中のエラー検出コード以外の領域に設定すること
を特徴とする請求項５２記載の光ディスク製造方法。
【請求項５４】
上記識別情報追記工程では、
識別情報の各ビットのそれぞれに対して、第１の連続領域及び第２の連続領域の２つの連続領域を設定しておき、
識別情報のビットの値が０の場合には、そのビット位置に対応した第１の連続領域に含まれている特定ランドを上記パターン反転処理によりピット化し、
識別情報のビットの値が１の場合には、そのビット位置に対応した第２の連続領域に含まれている特定ランドを上記パターン反転処理によりピット化すること
を特徴とする請求項４５記載の光ディスク製造方法。
【請求項５５】
上記可変長変調は、１７ＰＰ変調をして、ＮＲＩ-ＮＲＺＩ変換する変調であること
を特徴とする請求項５４記載の光ディスク製造方法。
【請求項５６】
上記第１及び第２の連続領域は、それぞれ、変調前のビット列の４バイト以上の連続した物理領域であること
を特徴とする請求項５４記載の光ディスク製造方法。
【請求項５７】
情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクにおいて、
特定のクラスタには、任意の情報ビット列とそのエラー訂正符号とを変調してランド/ピットパターンが形成された後に、ディスク固有の識別情報が追記されており、
上記ディスク固有の識別情報は、それがピットに置き換わったとしてもビット列全体が上記可変長変調の規則に従っている位置のランド（特定ランド）が、ピット化されることにより、追記されており、
識別情報が追記されているクラスタの可変長変調前の情報ビット列は、特定の値とされていること
を特徴とする光ディスク。
【請求項５８】
識別情報が追記される特定のクラスタ内の可変長変調前の情報ビット列は、全て０とされていること
を特徴とする請求項５７記載の光ディスク。
【請求項５９】
情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクにおいて、
特定のクラスタには、任意の情報ビット列とそのエラー訂正符号とを変調してランド/ピットパターンが形成された後に、ディスク固有の識別情報が追記されており、
上記特定のクラスタには、上記識別情報の各ビットに対応した連続領域が所定位置に設定してあり、
上記連続領域には、それがピットに置き換わったとしてもビット列全体が上記可変長変調の規則に従っている位置のランド（特定ランド）が、識別情報の対応するビットの値に応じてピット化されることにより、追記されていること
を特徴とする光ディスク。
【請求項６０】
上記可変長変調は、１７ＰＰ変調をして、ＮＲＩ-ＮＲＺＩ変換する変調であること
を特徴とする請求項５９記載の光ディスク。
【請求項６１】
上記連続領域は、変調前のビット列の４バイト以上の連続した物理領域であること
を特徴とする請求項５９記載の光ディスク。
【請求項６２】
上記可変長変調は、１７ＰＰ（パリティ保存）変調をした後にＮＲＺＩ変換する変調であり、
上記連続領域は、変調後のランドとピットのパターンにおいて以下のパターンの全てを含むものであること
を特徴とする請求項６１記載の光ディスク。
３Ｔピット-２Ｔランド-３Ｔピット
３Ｔランド-２Ｔピット-３Ｔランド
４Ｔ以上のピット-４Ｔ以上のランド
４Ｔ以上のランド-４Ｔ以上のピット
なお、Ｔは、変調周期である。
【請求項６３】
上記連続領域は、変調前のビット列の４バイト連続データが１６進数表記で（８７，８Ｆ，８８，８Ａ）であること
を特徴とする請求項６２記載の光ディスク。
【請求項６４】
クラスタには、変調後のビット列の所定数のバイト毎に、所定のビットパタンのフレームシンクが含まれており、
上記連続領域は、上記フレームシンクに続く領域に設けられていること
を特徴とする請求項５９記載の光ディスク。
【請求項６５】
クラスタには、変調後のビット列の所定数のビット毎に、所定のＤＣコントロールビットが含まれており、
上記連続領域と上記フレームシンクとの間には、偶数個のＤＣコントロールビットが含まれていること
を特徴とする請求項６４記載の光ディスク
【請求項６６】
上記連続領域は、クラスタ中のエラー訂正符号以外の領域に設定されていること
を特徴とする請求項５９記載の光ディスク。
【請求項６７】
上記連続領域は、クラスタ中のエラー検出コード以外の領域に設定されていること
を特徴とする請求項６６記載の光ディスク。
【請求項６８】
上記特定のクラスタには、識別情報の各ビットのそれぞれに対して、第１の連続領域及び第２の連続領域の２つの連続領域が設定してあり、
第１の連続領域の特定ランドがピット化されている場合には、対応する識別情報のビットの値は０であり、
第２の連続領域の特定ランドがピット化されている場合には、対応する識別情報のビットの値は１であること
を特徴とする請求項５９記載の光ディスク。
【請求項６９】
上記可変長変調は、１７ＰＰ変調をして、ＮＲＩ-ＮＲＺＩ変換する変調であること
を特徴とする請求項６８記載の光ディスク。
【請求項７０】
上記第１及び第２の連続領域は、それぞれ、変調前のビット列の４バイト以上の連続した物理領域であること
を特徴とする請求項６８記載の光ディスク。
【請求項７１】
情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクを製造する光ディスク製造装置において、
上記光ディスクのランド/ピットパターンとなる変調後のビット列が入力され、光ディスク原盤に記録するビット列を出力する手段であって、上記変調後ビット列の所定のランドをピットに反転するパターン反転処理を行うことにより、上記再生専用の光ディスク上の特定のクラスタに、識別情報を追記する識別情報追記手段を有し、
上記識別情報追記手段に入力されるビット列は、上記識別情報が追記される特定のクラスタ内の可変長変調前の情報ビット列が、特定の値とされており、
上記識別情報追記手段は、それがピットに置き換わったとしてもビット列全体が上記可変長変調の規則に従っている位置のランド（特定ランド）を、上記パターン反転処理によりピット化すること
を特徴とする光ディスク製造装置。
【請求項７２】
上記識別情報追記手段に入力されるビット列は、上記識別情報が追記される特定のクラスタ内の可変長変調前の情報ビット列が、全て０とされていること
を特徴とする請求項７１記載の光ディスク製造装置。
【請求項７３】
情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクを製造する光ディスク製造装置において、
上記光ディスクのランド/ピットパターンとなる変調後のビット列が入力され、光ディスク原盤に記録するビット列を出力する手段であって、上記変調後ビット列の所定のランドをピットに反転するパターン反転処理を行うことにより、上記再生専用の光ディスク上の特定のクラスタに、識別情報を追記する識別情報追記手段を有し、
上記識別情報追記手段は、
識別情報の各ビットに対応した連続領域を、上記クラスタ中の所定位置に設定しておき、
各連続領域中に含まれている、それがピットに置き換わったとしてもビット列全体が上記可変長変調の規則に従っている位置のランド（特定ランド）を、識別情報の各ビットの値に応じて上記パターン反転処理によりピット化すること
を特徴とする光ディスク製造装置。
【請求項７４】
上記可変長変調は、１７ＰＰ変調をして、ＮＲＩ-ＮＲＺＩ変換する変調であること
を特徴とする請求項７３記載の光ディスク製造装置。
【請求項７５】
上記連続領域は、変調前のビット列の４バイト以上の連続した物理領域であること
を特徴とする請求項７３記載の光ディスク製造装置。
【請求項７６】
上記可変長変調は、１７ＰＰ（パリティ保存）変調をした後にＮＲＺＩ変換する変調であり、
上記連続領域は、変調後のランドとピットのパターンにおいて以下のパターンの全てを含むものであること
を特徴とする請求項７５記載の光ディスク製造装置。
３Ｔピット-２Ｔランド-３Ｔピット
３Ｔランド-２Ｔピット-３Ｔランド
４Ｔ以上のピット-４Ｔ以上のランド
４Ｔ以上のランド-４Ｔ以上のピット
なお、Ｔは、変調周期である。
【請求項７７】
上記連続領域は、変調前のビット列の４バイト連続データが１６進数表記で（８７，８Ｆ，８８，８Ａ）であること
を特徴とする請求項７６記載の光ディスク製造装置。
【請求項７８】
クラスタには、変調後のビット列の所定数のバイト毎に、所定のビットパタンのフレームシンクが含まれており、
上記連続領域は、上記フレームシンクに続く領域に設けられていること
を特徴とする請求項７３記載の光ディスク製造装置。
【請求項７９】
クラスタには、変調後のビット列の所定数のビット毎に、所定のＤＣコントロールビットが含まれており、
上記連続領域と上記フレームシンクとの間には、偶数個のＤＣコントロールビットが含まれていることを特徴とする請求項７８記載の光ディスク記録装置。
【請求項８０】
上記識別情報追記手段は、
上記連続領域を、クラスタ中のエラー訂正符号以外の領域に設定すること
を特徴とする請求項７６記載の光ディスク製造装置。
【請求項８１】
上記識別情報追記手段は、
上記連続領域を、クラスタ中のエラー検出コード以外の領域に設定すること
を特徴とする請求項８０記載の光ディスク製造装置。
【請求項８２】
上記識別情報追記手段は、
識別情報の各ビットのそれぞれに対して、第１の連続領域及び第２の連続領域の２つの連続領域を設定しておき、
識別情報のビットの値が０の場合には、そのビット位置に対応した第１の連続領域に含まれている特定ランドを上記パターン反転処理によりピット化し、
識別情報のビットの値が１の場合には、そのビット位置に対応した第２の連続領域に含まれている特定ランドを上記パターン反転処理によりピット化すること
を特徴とする請求項７６記載の光ディスク製造装置。
【請求項８３】
上記可変長変調は、１７ＰＰ変調をして、ＮＲＩ-ＮＲＺＩ変換する変調であること
を特徴とする請求項８２記載の光ディスク製造装置。
【請求項８４】
上記第１及び第２の連続領域は、それぞれ、変調前のビット列の４バイト以上の連続した物理領域であること
を特徴とする請求項８２記載の光ディスク製造装置。
【請求項８５】
情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクであり、
さらに、特定のクラスタに、任意の情報ビット列とそのエラー訂正符号とを変調してランド/ピットパターンが形成された後に、ディスク固有の識別情報が追記されており、
上記ディスク固有の識別情報が、それがピットに置き換わったとしてもビット列全体が上記可変長変調の規則に従っている位置のランド（特定ランド）が、ピット化されることにより、追記されており、
識別情報が追記されているクラスタの可変長変調前の情報ビット列が、特定の値とされている再生専用の光ディスクを
再生する光ディスク再生方法であって、
上記光ディスクから再生されたビット列を上記可変長変調方式により復調し、
復調されたビット列に対してエラー訂正処理を行い、
識別情報が追記されているクラスタから識別情報を検出し、
上記識別情報が検出される時には、上記エラー訂正処理を行わずに、識別情報が追記されているクラスタの復調後の情報ビット列と上記特定の値とを比較して上記識別情報を検出すること
を特徴とする光ディスク再生方法。
【請求項８６】
識別情報が追記される特定のクラスタ内の可変長変調前の情報ビット列は、全て０とされていること
を特徴とする請求項８５記載の光ディスク再生方法。
【請求項８７】
情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクであり、
特定のクラスタに、任意の情報ビット列とそのエラー訂正符号とを変調してランド/ピットパターンが形成された後に、ディスク固有の識別情報が追記されており、
上記特定のクラスタに、上記識別情報の各ビットに対応した連続領域が所定位置に設定してあり、
上記連続領域に、それがピットに置き換わったとしてもビット列全体が上記可変長変調の規則に従っている位置のランド（特定ランド）が、識別情報の対応するビットの値に応じてピット化されることにより、追記されている光ディスクを
再生する光ディスク再生方法であって、
上記光ディスクから再生されたビット列を上記可変長変調方式により復調し、
復調されたビット列に対してエラー訂正処理を行い、
識別情報が追記されているクラスタから識別情報を検出し、
上記識別情報が検出される時には、上記識別情報が検出される時にはエラー訂正処理を行わず、識別情報が追記されているクラスタの中の各連続領域のビット列を抽出して上記識別情報を検出すること
を特徴とする光ディスク再生方法。
【請求項８８】
上記可変長変調は、１７ＰＰ変調をして、ＮＲＩ-ＮＲＺＩ変換する変調であること
を特徴とする請求項８７記載の光ディスク再生方法。
【請求項８９】
上記連続領域は、変調前のビット列の４バイト以上の連続した物理領域であること
を特徴とする請求項８７記載の光ディスク再生方法。
【請求項９０】
クラスタには、変調後のビット列の所定数のバイト毎に、所定のビットパタンのフレームシンクが含まれており、
上記連続領域は、上記フレームシンクに続く領域に設けられていること
を特徴とする請求項８８記載の光ディスク再生方法。
【請求項９１】
上記連続領域は、クラスタ中のエラー訂正符号以外の領域に設定されていること
を特徴とする請求項８７記載の光ディスク再生方法。
【請求項９２】
上記連続領域は、クラスタ中のエラー検出コード以外の領域に設定されていること
を特徴とする請求項９１記載の光ディスク再生方法。
【請求項９３】
上記特定のクラスタには、識別情報の各ビットのそれぞれに対して、第１の連続領域及び第２の連続領域の２つの連続領域が設定してあり、
第１の連続領域の特定ランドがピット化されている場合には、対応する識別情報のビットの値は０であり、
第２の連続領域の特定ランドがピット化されている場合には、対応する識別情報のビットの値は１であること
を特徴とする請求項８７記載の光ディスク再生方法。
【請求項９４】
上記可変長変調は、１７ＰＰ変調をして、ＮＲＩ-ＮＲＺＩ変換する変調であること
を特徴とする請求項９３記載の光ディスク再生方法。
【請求項９５】
上記第１及び第２の連続領域は、それぞれ、変調前のビット列の４バイト以上の連続した物理領域であること
を特徴とする請求項９３記載の光ディスク再生方法。
【請求項９６】
情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクであり、
さらに、特定のクラスタに、任意の情報ビット列とそのエラー訂正符号とを変調してランド/ピットパターンが形成された後に、ディスク固有の識別情報が追記されており、
上記ディスク固有の識別情報が、それがピットに置き換わったとしてもビット列全体が上記可変長変調の規則に従っている位置のランド（特定ランド）が、ピット化されることにより、追記されており、
識別情報が追記されているクラスタの可変長変調前の情報ビット列が、特定の値とされている再生専用の光ディスクを
再生する光ディスク再生装置であって、
上記光ディスクから再生されたビット列を上記可変長変調方式により復調する復調手段と、
上記復調手段により復調されたビット列に対してエラー訂正処理を行うエラー訂正手段と、
識別情報が追記されているクラスタから識別情報を検出する識別情報検出手段とを備え、
上記エラー訂正手段は、上記識別情報が検出される時にはエラー訂正処理を行わず、
上記識別情報検出手段は、識別情報が追記されているクラスタの復調後の情報ビット列と、上記特定の値とを比較して、上記識別情報を検出すること
を特徴とする光ディスク再生装置。
【請求項９７】
識別情報が追記される特定のクラスタ内の可変長変調前の情報ビット列は、全て０とされていること
を特徴とする請求項９６記載の光ディスク再生装置。
【請求項９８】
情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクであり、
特定のクラスタに、任意の情報ビット列とそのエラー訂正符号とを変調してランド/ピットパターンが形成された後に、ディスク固有の識別情報が追記されており、
上記特定のクラスタに、上記識別情報の各ビットに対応した連続領域が所定位置に設定してあり、
上記連続領域に、それがピットに置き換わったとしてもビット列全体が上記可変長変調の規則に従っている位置のランド（特定ランド）が、識別情報の対応するビットの値に応じてピット化されることにより、追記されている光ディスクを
再生する光ディスク再生装置であって、
上記光ディスクから再生されたビット列を上記可変長変調方式により復調する復調手段と、
上記復調手段により復調されたビット列に対してエラー訂正処理を行うエラー訂正手段と、
識別情報が追記されているクラスタから識別情報を検出する識別情報検出手段とを備え、
上記エラー訂正手段は、上記識別情報が検出される時にはエラー訂正処理を行わず、
上記識別情報検出手段は、識別情報が追記されているクラスタの中の各連続領域のビット列を抽出して、上記識別情報を検出すること
を特徴とする光ディスク再生装置。
【請求項９９】
上記可変長変調は、１７ＰＰ変調をして、ＮＲＩ-ＮＲＺＩ変換する変調であること
を特徴とする請求項９８記載の光ディスク再生装置。
【請求項１００】
上記連続領域は、変調前のビット列の４バイト以上の連続した物理領域であること
を特徴とする請求項９８記載の光ディスク再生装置。
【請求項１０１】
クラスタには、変調後のビット列の所定数のバイト毎に、所定のビットパタンのフレームシンクが含まれており、
上記連続領域は、上記フレームシンクに続く領域に設けられていること
を特徴とする請求項９８記載の光ディスク再生装置。
【請求項１０２】
上記連続領域は、クラスタ中のエラー訂正符号以外の領域に設定されていること
を特徴とする請求項９８記載の光ディスク再生装置。
【請求項１０３】
上記連続領域は、クラスタ中のエラー検出コード以外の領域に設定されていること
を特徴とする請求項１０２記載の光ディスク再生装置。
【請求項１０４】
上記特定のクラスタには、識別情報の各ビットのそれぞれに対して、第１の連続領域及び第２の連続領域の２つの連続領域が設定してあり、
第１の連続領域の特定ランドがピット化されている場合には、対応する識別情報のビットの値は０であり、
第２の連続領域の特定ランドがピット化されている場合には、対応する識別情報のビットの値は１であること
を特徴とする請求項９８記載の光ディスク再生装置。
【請求項１０５】
上記可変長変調は、１７ＰＰ変調をして、ＮＲＩ-ＮＲＺＩ変換する変調であること
を特徴とする請求項１０４記載の光ディスク再生装置。
【請求項１０６】
上記第１及び第２の連続領域は、それぞれ、変調前のビット列の４バイト以上の連続した物理領域であること
を特徴とする請求項１０４記載の光ディスク再生装置。
【発明の詳細な説明】
【技術分野】
【０００１】
本発明は、識別情報が追記された再生専用の光ディスクの製造方法及び装置、識別情報が追記された再生専用の光ディスク、並びに、識別情報が追記された再生専用の光ディスクの再生方法及び装置に関するものである。
【背景技術】
【０００２】
音楽や映像などの著作物情報をデジタル化して記録することができる情報記録媒体として、ＣＤやＤＶＤなどの再生専用の光ディスクが広く知られている。
【０００３】
ＣＤやＤＶＤのような光ディスクは、円板状基板の凹凸情報を著作物のデジタル情報に対応させて記録されている。このような光ディスクの場合、一枚のマスタから、同じ情報が記録されている媒体を一度に大量に複製し、大量に販売することが可能である。
【０００４】
一方、光ディスクを販売するに当たっては、その光ディスクの海賊版や不正コピーに対する管理、さらには、その光ディスクに記録された情報内容である著作物に対する著作権の管理といった媒体管理を行う必要がある。しかしながら、再生専用の光ディスクは、媒体管理を行うという観点から見た場合、全てに同じ情報しか記録できず媒体毎の区別ができないので、必ずしも望ましいものではない。
【０００５】
光ディスクの媒体管理上での問題を解決するための方法として、媒体毎に異なる媒体固有情報を、再生専用の光ディスクの一部分に追加記録するという方法がある。このようにして媒体毎に異なる固有情報を追加記録しておけば、プレイヤーが媒体固有情報を読み取ってネットワーク経由でサーバに送り込むようなシステムを構築することができる。このようなシステムを使えば、例えば海賊版が作成・販売された場合に、同一の媒体固有情報がネットワーク経由で大量に検出されるので、海賊版の存在を検知することができる。さらに検出された媒体固有情報をトレースすれば、海賊版作成業者を特定し、法律的な手段に訴えることも可能となる。このように媒体固有情報の記録は、海賊版や不正コピー等の対策として非常に有効な手段である。
【０００６】
タイトル毎に固有の媒体情報であっても、市販のドライブで簡単にコピーできない方式で記録されていれば、著作権保護として有用であることは言うまでもない。
【０００７】
ここで、コンテンツ等が記録されている実際の情報記録部分（凹凸部分）に、媒体毎の識別情報を追加記録する方法として、ソニー株式会社及び株式会社ソニーディスクテクノロジー社などで開発されたポストスクライブドＩＤ（商標）を利用する方法が知られている（例えば、非特許文献１）。
【０００８】
ポストスクライブドＩＤとは、記録層となる反射膜の材料として追記光で溶融する材料を利用したＣＤ等の光ディスクを、スタンパなどで一旦大量生産する。続いて、記録トラックに形成されている凸凹の所定部分の凸部（ランド）に対して、高出力のレーザ光を照射し、そのランドを凹部（ピット）化する、という方法である。
【０００９】
すなわち、ランドをピット化することができる領域を再生専用媒体上の複数の所定の部分に設けておき、その媒体の固有情報に応じて、各部分をピット化するかランドの状態のままとするかを判断して、各部分にレーザ光を照射していくことにより、コンテンツ等が記録されている実際の情報記録部分にその媒体固有の識別情報を追記することが可能となる。
【００１０】
もっとも、この方法の場合、再生装置側で識別信号の記録位置がわからなければならないので、ランドをピット化する部分は媒体上のある決まった所定の部分でなければならず、さらに、ランドをピット化したのちに変調ルールに従わないようなデータ列が形成されては、その記録媒体の再生ができなくなるので、ランドをピット化した後にも変調ルールに従わなければならなない。
【００１１】
ＣＤ、ＤＶＤで通常用いられるＥＦＭ変調方式又はＥＦＭ＋変調方式であるという条件で、このようなことを解決した記録ルールが、特許文献１や特許文献２で提案されている。
【００１２】
【特許文献１】特開２００３−１４１７４２号公報
【特許文献２】特開２００３−１５１１４５号公報
【特許文献３】特開平９−１２８８９０号公報
【非特許文献１】ポストスクライブドＩＤ、［平成１６年１１月１日検索］、インターネット＜URL :http://www.postscribedid.com/index_j.html＞
【発明の開示】
【発明が解決しようとする課題】
【００１３】
近年、ＣＤやＤＶＤの次世代の記録媒体であるＢＤ（ブルーレイディスク  商標）が提案されている。
【００１４】
このＢＤにも、再生専用の場合には、上述したポストスクライブドＩＤ（商標）のような識別情報の記録方式を用いるのが望ましい。
【００１５】
ところで、ＢＤでは、ＣＤやＤＶＤのＥＦＭやＥＦＭ＋変調方式等とは異なり、変調方式として１７ＰＰ変調方式が用いられている。
【００１６】
１７ＰＰ変調方式は、ＥＦＭやＥＦＭ＋変調方式等の固定ビット長（８ビット）の変調方式とは異なり、変調単位が２ビットの変調方式である。またＢＤのフォーマットでは、１７ＰＰ変調を施す前の段階で、周期的に１ビットのＤＣコントロールビットを挿入するような構成になっている。またＢＤの規格はほぼ決まっていて、既に記録型の装置は発売されている。
【００１７】
このような状況のためＢＤにポストスクライブドＩＤ記録を行うと、以下のような問題が発生する可能性がある。
【００１８】
ポストスクライブドＩＤ記録を行ってピット列をランド化しても、その変化がＤＣコントロールビットだけに変化を与える可能性もある。ＤＣコントロールビットは復号過程で捨てられてしまう情報であるので、ポストスクライブドＩＤ記録が行われたかどうか検出不可能となってしまう。
【００１９】
１７ＰＰ変調方式は、変調単位が変化する可変長符号であるので、ビット列の一部をランド化するポストスクライブドＩＤ記録を行った場合、前後に記録されていたデータによっては１７ＰＰの変調ルールに定義されていない符号語を発生してしまう可能性が高い。このような場合、再生装置の設計によってはポストスクライブドＩＤとして記録された媒体固有情報が正しく読み出せない可能性がある。
【００２０】
既に市販されているＢＤ装置で使われている１７ＰＰの復調回路や誤り訂正回路などに変更を与える必要がある場合には、ＬＳＩの変更となるのでプレイヤーの値段が上昇するという問題点がある。
【００２１】
そこで、本発明では、１７ＰＰ変調等の可変長変調がされたビット列が記録された再生専用の光ディスクに対して識別情報を記録し、媒体毎又はタイトル毎の識別管理を行うことができる光ディスク製造方法及び装置、光ディスク、並びに、光ディスク再生方法及び装置を、従来の変調回路や復調回路などに与える変更をできるだけ少なく実現し提供することを目的とする。
【課題を解決するための手段】
【００２２】
本発明に係る光ディスク製造方法は、情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクを製造する光ディスク製造方法において、光ディスク原盤を用いて上記再生専用の光ディスクを作成するディスク作成工程と、再生パワーよりも大きいパワーのレーザ光をランドに照射してそのランドをピットと同等の光学特性とするレーザ追記処理を行うことにより、上記再生専用の光ディスク上の特定のクラスタに、ディスク固有の識別情報を追記する識別情報追記工程とを有し、上記ディスク作成工程では、上記識別情報が追記される特定のクラスタ内の可変長変調前の情報ビット列を、特定の値とした上記再生専用の光ディスクを作成し、上記識別情報追記工程では、それがピットに置き換わったとしてもビット列全体が上記可変長変調の規則に従っている位置のランド（特定ランド）を、上記レーザ追記処理によりピットと同等の光学特性とすることを特徴とする。
【００２３】
本発明に係る光ディスク製造方法は、情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクを製造する光ディスク製造方法において、光ディスク原盤を用いて上記再生専用の光ディスクを作成するディスク作成工程と、再生パワーよりも大きいパワーのレーザ光をランドに照射してそのランドをピットと同等の光学特性とするレーザ追記処理を行うことにより、上記再生専用の光ディスク上の特定のクラスタに、ディスク固有の識別情報を追記する識別情報追記工程とを有し、上記識別情報追記工程では、識別情報の各ビットに対応した連続領域を、上記クラスタ中の所定位置に設定しておき、各連続領域中に含まれている、それがピットに置き換わったとしてもビット列全体が上記可変長変調の規則に従っている位置のランド（特定ランド）を、識別情報の各ビットの値に応じて上記レーザ追記処理によりピットと同等の光学特性とすることを特徴とする。
【００２４】
本発明に係る光ディスクは、情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクにおいて、特定のクラスタには、再生パワーよりも大きいパワーのレーザ光をランドに照射してそのランドをピットと同等の光学特性とするレーザ追記処理により、ディスク固有の識別情報が追記されており、上記ディスク固有の識別情報は、それがピットに置き換わったとしてもビット列全体が上記可変長変調の規則に従っている位置のランド（特定ランド）が、上記レーザ追記処理でピットと同等の光学特性とされることにより、追記されており、識別情報が追記されているクラスタの可変長変調前の情報ビット列は、特定の値とされていることを特徴とする。
【００２５】
本発明に係る光ディスクは、情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクにおいて、特定のクラスタには、再生パワーよりも大きいパワーのレーザ光をランドに照射してそのランドをピットと同等の光学特性とするレーザ追記処理により、ディスク固有の識別情報が追記されており、上記特定のクラスタには、識別情報の各ビットに対応した連続領域が所定位置に設定してあり、上記連続領域には、それがピットに置き換わったとしてもビット列全体が上記可変長変調の規則に従っている位置のランド（特定ランド）に、識別情報の対応するビットの値が、上記レーザ追記処理により記録されていることを特徴とする。
【００２６】
本発明に係る光ディスク製造装置は、情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクを製造する光ディスク製造装置において、再生パワーよりも大きいパワーのレーザ光をランドに照射してそのランドをピットと同等の光学特性とするレーザ追記処理を行うことにより、上記再生専用の光ディスク上の特定のクラスタに、ディスク固有の識別情報を追記する識別情報追記手段を有し、識別情報が追記される前の再生専用の光ディスクは、上記識別情報が追記される特定のクラスタ内の可変長変調前の情報ビット列が、特定の値とされており、上記識別情報追記手段は、それがピットに置き換わったとしてもビット列全体が上記可変長変調の規則に従っている位置のランド（特定ランド）を、上記レーザ追記処理によりピットと同等の光学特性とすることを特徴とする。
【００２７】
本発明に係る光ディスク製造装置は、情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクを製造する光ディスク製造装置において、再生パワーよりも大きいパワーのレーザ光をランドに照射してそのランドをピットと同等の光学特性とするレーザ追記処理を行うことにより、上記再生専用の光ディスク上の特定のクラスタに、ディスク固有の識別情報を追記する識別情報追記手段を有し、上記識別情報追記手段は、識別情報の各ビットに対応した連続領域を、上記クラスタ中の所定位置に設定しておき、各連続領域中に含まれている、それがピットに置き換わったとしてもビット列全体が上記可変長変調の規則に従っている位置のランド（特定ランド）を、識別情報の各ビットの値に応じて上記レーザ追記処理によりピットと同等の光学特性とすることを特徴とする。
【００２８】
本発明に係る光ディスク製造方法は、情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクを製造する光ディスク製造方法において、上記光ディスクのランド/ピットパターンとなる変調後のビット列を生成する情報ビット列生成工程と、上記変調後ビット列の所定のランドをピットに反転するパターン反転処理を行うことにより、上記再生専用の光ディスク上の特定のクラスタに、識別情報を追記する識別情報追記工程と、上記識別情報が追記された後の変調後ビット列が記録された光ディスク原盤を生成する原盤生成工程と、上記光ディスク原盤を用いて上記再生専用の光ディスクを作成するディスク作成工程とを有し、上記情報ビット列生成工程では、上記識別情報が追記される特定のクラスタ内の可変長変調前の情報ビット列を、特定の値とした上記再生専用の光ディスクを作成し、上記識別情報追記工程では、それがピットに置き換わったとしてもビット列全体が上記可変長変調の規則に従っている位置のランド（特定ランド）を、上記パターン反転処理によりピット化することを特徴とする。
【００２９】
本発明に係る光ディスク製造方法は、情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクを製造する光ディスク製造方法において、上記光ディスクのランド/ピットパターンとなる変調後のビット列を生成する情報ビット列生成工程と、上記変調後ビット列の所定のランドをピットに反転するパターン反転処理を行うことにより、上記再生専用の光ディスク上の特定のクラスタに、識別情報を追記する識別情報追記工程と、上記識別情報が追記された後の変調後ビット列が記録された光ディスク原盤を生成する原盤生成工程と、上記光ディスク原盤を用いて上記再生専用の光ディスクを作成するディスク作成工程とを有し、上記識別情報追記工程では、識別情報の各ビットに対応した連続領域を、上記クラスタ中の所定位置に設定しておき、各連続領域中に含まれている、それがピットに置き換わったとしてもビット列全体が上記可変長変調の規則に従っている位置のランド（特定ランド）を、識別情報の各ビットの値に応じて上記パターン反転処理によりピット化することを特徴とする。
【００３０】
本発明に係る光ディスクは、情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクにおいて、特定のクラスタには、任意の情報ビット列とそのエラー訂正符号とを変調してランド/ピットパターンが形成された後に、ディスク固有の識別情報が追記されており、上記ディスク固有の識別情報は、それがピットに置き換わったとしてもビット列全体が上記可変長変調の規則に従っている位置のランド（特定ランド）が、ピット化されることにより、追記されており、識別情報が追記されているクラスタの可変長変調前の情報ビット列は、特定の値とされていることを特徴とする。
【００３１】
本発明に係る光ディスクは、情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクにおいて、特定のクラスタには、任意の情報ビット列とそのエラー訂正符号とを変調してランド/ピットパターンが形成された後に、ディスク固有の識別情報が追記されており、上記特定のクラスタには、上記識別情報の各ビットに対応した連続領域が所定位置に設定してあり、上記連続領域には、それがピットに置き換わったとしてもビット列全体が上記可変長変調の規則に従っている位置のランド（特定ランド）が、識別情報の対応するビットの値に応じてピット化されることにより、追記されていることを特徴とする。
【００３２】
本発明に係る光ディスク製造装置は、情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクを製造する光ディスク製造装置において、上記光ディスクのランド/ピットパターンとなる変調後のビット列が入力され、光ディスク原盤に記録するビット列を出力する手段であって、上記変調後ビット列の所定のランドをピットに反転するパターン反転処理を行うことにより、上記再生専用の光ディスク上の特定のクラスタに、識別情報を追記する識別情報追記手段を有し、上記識別情報追記手段に入力されるビット列は、上記識別情報が追記される特定のクラスタ内の可変長変調前の情報ビット列が、特定の値とされており、
上記識別情報追記手段は、それがピットに置き換わったとしてもビット列全体が上記可変長変調の規則に従っている位置のランド（特定ランド）を、上記パターン反転処理によりピット化することを特徴とする。
【００３３】
本発明に係る光ディスク製造装置は、情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクを製造する光ディスク製造装置において、上記光ディスクのランド/ピットパターンとなる変調後のビット列が入力され、光ディスク原盤に記録するビット列を出力する手段であって、上記変調後ビット列の所定のランドをピットに反転するパターン反転処理を行うことにより、上記再生専用の光ディスク上の特定のクラスタに、識別情報を追記する識別情報追記手段を有し、上記識別情報追記手段は、識別情報の各ビットに対応した連続領域を、上記クラスタ中の所定位置に設定しておき、各連続領域中に含まれている、それがピットに置き換わったとしてもビット列全体が上記可変長変調の規則に従っている位置のランド（特定ランド）を、識別情報の各ビットの値に応じて上記パターン反転処理によりピット化することを特徴とする。
【００３４】
本発明に係る光ディスク再生方法は、情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクであり、さらに、特定のクラスタに、任意の情報ビット列とそのエラー訂正符号とを変調してランド/ピットパターンが形成された後に、ディスク固有の識別情報が追記されており、上記ディスク固有の識別情報が、それがピットに置き換わったとしてもビット列全体が上記可変長変調の規則に従っている位置のランド（特定ランド）が、ピット化されることにより、追記されており、識別情報が追記されているクラスタの可変長変調前の情報ビット列が、特定の値とされている再生専用の光ディスクを再生する光ディスク再生方法であって、上記光ディスクから再生されたビット列を上記可変長変調方式により復調し、復調されたビット列に対してエラー訂正処理を行い、識別情報が追記されているクラスタから識別情報を検出し、上記識別情報が検出される時には、上記エラー訂正処理を行わずに、識別情報が追記されているクラスタの復調後の情報ビット列と上記特定の値とを比較して上記識別情報を検出することを特徴とする。
【００３５】
本発明に係る光ディスク再生方法は、情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクであり、特定のクラスタに、任意の情報ビット列とそのエラー訂正符号とを変調してランド/ピットパターンが形成された後に、ディスク固有の識別情報が追記されており、上記特定のクラスタに、上記識別情報の各ビットに対応した連続領域が所定位置に設定してあり、上記連続領域に、それがピットに置き換わったとしてもビット列全体が上記可変長変調の規則に従っている位置のランド（特定ランド）が、識別情報の対応するビットの値に応じてピット化されることにより、追記されている光ディスクを再生する光ディスク再生方法であって、上記光ディスクから再生されたビット列を上記可変長変調方式により復調し、復調されたビット列に対してエラー訂正処理を行い、識別情報が追記されているクラスタから識別情報を検出し、上記識別情報が検出される時には、上記識別情報が検出される時にはエラー訂正処理を行わず、識別情報が追記されているクラスタの中の各連続領域のビット列を抽出して上記識別情報を検出することを特徴とする。
【００３６】
本発明に係る光ディスク再生装置は、情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクであり、さらに、特定のクラスタに、任意の情報ビット列とそのエラー訂正符号とを変調してランド/ピットパターンが形成された後に、ディスク固有の識別情報が追記されており、
上記ディスク固有の識別情報が、それがピットに置き換わったとしてもビット列全体が上記可変長変調の規則に従っている位置のランド（特定ランド）が、ピット化されることにより、追記されており、識別情報が追記されているクラスタの可変長変調前の情報ビット列が、特定の値とされている再生専用の光ディスクを再生する光ディスク再生装置であって、上記光ディスクから再生されたビット列を上記可変長変調方式により復調する復調手段と、上記復調手段により復調されたビット列に対してエラー訂正処理を行うエラー訂正手段と、識別情報が追記されているクラスタから識別情報を検出する識別情報検出手段とを備え、上記エラー訂正手段は、上記識別情報が検出される時にはエラー訂正処理を行わず、上記識別情報検出手段は、識別情報が追記されているクラスタの復調後の情報ビット列と、上記特定の値とを比較して、上記識別情報を検出することを特徴とする。
【００３７】
本発明に係る光ディスク再生装置は、情報ビット列とエラー訂正符号とが含まれたクラスタ単位で記録がされ、記録トラックに沿ってランドとピットとが連続して形成され、ランドとピットの連続が所定の可変長変調方式の規則に従っている再生専用の光ディスクであり、特定のクラスタに、任意の情報ビット列とそのエラー訂正符号とを変調してランド/ピットパターンが形成された後に、ディスク固有の識別情報が追記されており、上記特定のクラスタに、上記識別情報の各ビットに対応した連続領域が所定位置に設定してあり、上記連続領域に、それがピットに置き換わったとしてもビット列全体が上記可変長変調の規則に従っている位置のランド（特定ランド）が、識別情報の対応するビットの値に応じてピット化されることにより、追記されている光ディスクを再生する光ディスク再生装置であって、上記光ディスクから再生されたビット列を上記可変長変調方式により復調する復調手段と、上記復調手段により復調されたビット列に対してエラー訂正処理を行うエラー訂正手段と、識別情報が追記されているクラスタから識別情報を検出する識別情報検出手段とを備え、上記エラー訂正手段は、上記識別情報が検出される時にはエラー訂正処理を行わず、上記識別情報検出手段は、識別情報が追記されているクラスタの中の各連続領域のビット列を抽出して、上記識別情報を検出することを特徴とする。
【発明の効果】
【００３８】
本発明によれば、１７ＰＰ変調等の可変長変調がされたビット列が記録された再生専用の光ディスクに対して識別情報を記録し、媒体毎又はタイトル毎の識別管理を行うことができる。また従来から用いられている変調回路や復調回路などの変更箇所が殆ど無い。
【発明を実施するための最良の形態】
【００３９】
以下、本発明が適用された光ディスク、その製造方法及び再生方法について説明をする。
【００４０】
光ディスクの物理特性及びユニークＩＤ
（物理特性）
本発明が適用された光ディスク１の基本な物理特性について説明をする。
【００４１】
光ディスク１は、ＢＤ（ブルーレイディスク  商標）と呼ばれているディスクであり、ＢＤのうちのユーザにより書き込みができない再生専用のディスクである。光ディスク１は、図１（Ａ）に示すように、半径Ｒが６０ｍｍ、ディスク厚ｄが１２ｍｍである。再生のためのレーザ波長は４０５ｎｍであり、いわゆる青紫色レーザが用いられる。対物レンズのＮＡは０．８５である。
【００４２】
光ディスク１上には、図１（Ｂ）に示すように、ディスクの反射面である底面部３に、記録トラックに沿って凹部４が形成されることにより、信号が書き込まれている。すなわち、記録するデータのビット列に応じた凹凸の連続が、記録トラックに形成されている。以下、記録トラックの底面３に形成された凹部４のことを以下「ピット」と呼び、記録トラックの底面のピット以外の底面３のことを以下「ランド」と呼ぶものとする。
【００４３】
ここで、反射膜６は、通常の再生レベルのパワーのレーザ光を照射しても物質特性はなんら変化しない。しかしながら、再生レベルよりも充分に高い出力のレーザ光を照射すると溶融し、その部分がピット部分の反射特性と同等となる材料とされている。つまり、ランドは、高出力レーザ光が照射されると、ピットとみなされるような材料により構成されている。一般的な光記録媒体の場合、反射層はアルミニウムで形成されているが、光ディスク１では、反射層が例えばアルミニウムとチタンとの合金、アルミニウムと別元素を混ぜた合金、銀を含む合金等により構成されている。
【００４４】
このような光ディスク１には、スタンパ等により凹凸（ランドとピット）のパターンがポリカーボネートやアクリル等の基板に転写されて、コンテンツデータに応じたランド/ピットのパターンが記録トラックに記録される。
【００４５】
（ユニークＩＤ）
さらに、光ディスク１には、パターン転写された後の記録トラック中に、各ディスク固有の識別情報（以下、ユニークＩＤ又はＵＩＤとも呼ぶ。）が、一枚一枚に対して追加して記録される。
【００４６】
ユニークＩＤの追記方法は、ディスクの記録トラック中の所定の位置のランドに対して、高出力レーザを照射することにより、そのランドをピット化して記録を行うという、レーザ照射処理による方法である。つまり、ランドをピット化することができる領域を、記録領域上の複数の所定の部分に設けておき、ユニークＩＤのビット情報に応じて、各部分をピット化するかランドの状態のままとするかを判断して、各部分にレーザ光を照射していく。
【００４７】
具体的には、図２（Ａ）及び図３（Ａ）に示すように、ある所定の位置のランドに対して、図２（Ｂ）及び図３（Ｂ）に示すように高出力レーザを照射する。高出力レーザは、再生パワーより充分高いパワーでありランドが溶融する程度のパワーである。このようにランドに高出力レーザを照射すると、図２（Ｃ）及び図３（Ｃ）に示すように、当該ランドに塗布されていた反射膜６が溶融して無くなる。このように反射膜６が無くなった部分に光を照射すると、反射光が戻ってこない。即ち、その部分がピットと同等の反射特性となる。このように一旦、スタンパでピット/ランドのパターンを転写した後に、ランドをピット化することにより、ユニークＩＤが追記される。
【００４８】
このため、光ディスク１は、再生専用の光ディスクであるにも関わらず、ディスク毎に固有の識別情報を記録することが可能となる。
【００４９】
ところで、ディスク毎に固有の識別情報を記録する方法としては、ＢＣＡ（Ｂｕｒｓｔ  Ｃｕｔｔｉｎｇ  Ａｒｅａ）と呼ばれる方法が使われることもある。ＢＣＡではトラッキングを取らないで読み書きするために、１ビットの情報を記録するのに半径方向に８００ミクロン幅の反射膜を吹き飛ばすことが要求される。これに対して本方法では、トラッキングを取ってレーザ光線を照射することにより、１トラック幅（０．３２ミクロン）よりも小さい幅の反射膜を吹き飛ばすことで１ビットの情報を記録することが可能である。１ビットの情報を記録するのに必要な幅をＢＣＡと本方法で比較すると、８００対０．３である。即ち、本方法はＢＣＡに比較して１０００倍以上、反射膜を吹き飛ばす長さが小さい。この結果、本方法では記録に必要となるレーザパワーも、記録時間も、ＢＣＡに比較して圧倒的に小さく実現することが可能となっている。またＢＣＡではトラッキングを取ることができないので、８００ミクロンのうちのどの部分を読んでいるのか判定することができない。このためディスク出荷検査では８００ミクロンの記録領域を全てチェックする必要があり、効率が悪いという問題があった。これに対して本方法はトラッキングを保った状態で記録再生可能なので、ディスク出荷時に確実に検査することが可能となっている。  なお、ユニークＩＤのフォーマット、ユニークＩＤが追記されるディスク上の位置、ユニークＩＤの再生方法等については、その詳細を後述する。
【００５０】
光ディスクのフォーマット
光ディスク１は、記録されているデータが、所定のフォーマットにより管理されている。ユーザ情報に対して、所定のブロック単位でロングディスタンス符号を使ったリード・ソロモン符号による誤り訂正符号化を行い、誤り訂正符号化された情報に対して、１７ＰＰ変調及びＮＲＺＩ変換をすることが特徴である。
【００５１】
（誤り訂正）
誤り訂正について説明する。
【００５２】
光ディスク１では、当該光ディスク１に記録するファイルデータや音楽，映像のコンテンツデータ（ユーザデータ）の全体を、６４ｋバイト毎のデータ群に分割し、分割した６４ｋバイト毎の各データ群に対して誤り検出コード（ＥＤＣ）、誤り訂正コード（ＥＣＣ）を付加し、１つのＥＣＣクラスタと呼ぶデータの基本単位を形成する。
【００５３】
ＥＣＣクラスタの具体的な構成は次の通りである。
【００５４】
まず、６４ｋバイトのデータ群をさらに３２個のデータ群に細分化する。
【００５５】
続いて、図４に示すように、２０４８バイトのデータ群（ユーザデータ）毎に、４バイトの誤り検出コード（ＥＤＣ）を付加し、合計２０５２バイトのデータ群にする。
【００５６】
続いて、この３２個の２０５２バイトのデータ群単位で所定のスクランブルを施し、３２個のデータ群を再度合成してもとのデータ群（３２×２０５２バイト）単位に戻す。
【００５７】
続いて、スクランブルを施した３２×２０５２バイトのデータ群を、図５に示すように、３０４バイト列×２１６行にブロック化し、さらに、２０４バイト列×３２行の誤り訂正コード（ＥＣＣ）を付加する。誤り訂正コードは、リード・ソロモン符号である。
【００５８】
最後に、２４８行×２０４バイト列に対して、所定のインタリーブを行って並び替えることによって、ＥＣＣクラスタが完成する。
【００５９】
光ディスク１では、ＥＣＣクラスタの他に、ＢＩＳクラスタと呼ばれるデータの単位がある。ＢＩＳクラスタは、アドレスと呼ばれるＥＣＣクラスタの番号やＥＣＣクラスタ内のブロックの番号、及び、ユーザコントロールと呼ばれるＥＣＣクラスタに記録されている情報の機能を表す番号が記録されたデータ単位である。
【００６０】
ＢＩＳクラスタの具体的な構成は次の通りである。
【００６１】
まず、アドレス番号を示す４バイトの情報と、付加データである１バイトの情報と、４バイトのリード・ソロモン符号による誤り訂正コードとにより構成されたアドレスを形成する。
【００６２】
続いて、このような９バイトのアドレス情報と、２１バイトのユーザコントロールとを組み合わせた３０バイトのデータ群を２４個形成する。
【００６３】
続いて、図６に示すように、この３０バイトのデータ群に対してそれぞれ３２バイトの誤り訂正コードを付加し、最後に所定のインタリーブを行って並び替えて、ＢＩＳクラスタが完成する。
【００６４】
（メインデータの物理フォーマット）
メインのデータを記録する物理フォーマットについて説明する。
【００６５】
光ディスク１の物理層は、図７に示すように、ＥＣＣクラスタとＢＩＳクラスタを組み合わせたデータが記録されるフィジカルクラスタと、これらのフィジカルクラスタを接続する２つのリンキング部が繰り返し出現するように構成されている。
【００６６】
１つのフィジカルクラスタ内には、ＥＣＣクラスタ（３０４バイト×（２１６行＋３２行））が、１つ記録される。
【００６７】
フィジカルクラスタは、図８に示すように、それぞれ１６個のアドレスユニットと呼ばれるブロックに分割され、さらに、各アドレスユニットが３１個のデータフレームに分割されている。リンキング部は、２個のデータフレームで構成されている。
【００６８】
データフレームは、図９に示すように１５５バイトの情報が記録される。データフレームのデータは、３９バイト目、７８バイト目及び１１７バイト目の３バイトが、ＢＩＳクラスタの情報であり、残りの１５２バイトがＥＣＣクラスタの情報である。
【００６９】
以上のようなフィジカルクラスタは、各データフレームの先頭に、当該データフレームの先頭を表す同期データパターンであるフレームシンクが付けられ、図１０に示すようなフィジカルクラスタとされる。
【００７０】
そして、このようなフィジカルクラスタは、フレームシンクを含んだデータフレーム毎に、１７ＰＰ変調及びＮＲＺＩ変換がされ、光ディスク１の所定のアドレスの記録パターンとなる。
【００７１】
なお、誤り訂正コード（ＥＣＣ）は、フィジカルクラスタの後段に必ず位置するように、ＥＣＣクラスタ及びＢＩＳクラスタの並べ替えが行われている。
【００７２】
（１７ＰＰ変調テーブル）
１７ＰＰ変調について説明をする。
【００７３】
図１１は、１７ＰＰ変調の変換テーブルを示している。“ｄａｔａ ｂｉｔｓ”と表されているビット列が変調前のビット列であり、“ｍｏｄｕｌａｔｉｏｎ ｂｉｔｓ”と表されているビット列が変調後のビット列である。図１１に示した変換テーブルの“ｘｘ”は、ｘが０か１のいずれかの値を任意に取るものを意味する。また、図１１における（-ｆｓ）はフレームシンクのビット列を表しているものとする。
【００７４】
図１２は、フレームシンクを示している。図１２における＃は、このフレームシンクになる前の変調前のビット列が“００”、あるいは、“００００”であったときのみに、１となって、それ以外では０となる。
【００７５】
図１１の変換テーブルに示すように、ＢＤの１７ＰＰ変調は、可変長変調方式、すなわち、変換単位となるビット長が変化する変調方式である。
【００７６】
また、ＢＤの１７ＰＰ変調では、変調後の“１”の連続長が１であり、０の連続長が８以下となるランレングス符号化であり、変調単位毎に変換前の“１”の数と変換後の１の数の奇遇を一致させている。
【００７７】
さらに、ＢＤの１７ＰＰ変調では、変調前のビット列が、３／２倍のビット列に変換される。
【００７８】
ユニークＩＤのフォーマット
つぎに、ユニークＩＤのフォーマットについて説明をする。
【００７９】
（ユニークＩＤのフォーマット）
ユニークＩＤは、ディスク個々に発生され、所定のフォーマットでフォーマット化されてディスク１に記録される。
【００８０】
ユニークＩＤの具体的なフォーマットは次の通りである。
【００８１】
まず、図１３（Ａ）に示すような、ユニークＩＤの実データ部分を、１６０バイト毎のデータブロックに分割する。
【００８２】
続いて、図１３（Ｂ）に示すように、１６０バイトのデータブロックの先頭に、１バイトのデータブロック番号を付加する。データブロック番号は、そのデータブロックに個々に付けられる番号である。
【００８３】
続いて、図１３（Ｃ）に示すように、データブロック番号の前に５１バイトのダミーデータを付け、１６０バイトのデータブロックの後ろに４バイトの誤り検出コード（ＥＤＣ）を付け、全体で２１６バイトのデータ単位とする。ここで５１バイトのダミーデータは全て“ＦＦ”のデータとする。
【００８４】
最後に、この２１６バイトのデータ単位に、３２バイトの誤り訂正コード（ＥＣＣ）を後段に付加する。誤り検出コード及び誤り訂正コードの算出アルゴリズムは、上述した通常のユーザデータのものと同じである。従って、ユニークＩＤの誤り検出及び誤り訂正を行う場合には、ユーザデータと同じ回路を流用することができる。
【００８５】
ユニークＩＤは、一旦、通常のフォーマットどおりにスタンパでピット/ランドのパターンを転写した後に、特定のフィジカルクラスタの記録トラック中の所定位置のランドに対して、高出力レーザを照射するというレーザ追記処理を行うことにより、そのランドをピット化して記録が行われるものである。
【００８６】
ユニークＩＤの記録フォーマットは、次の通りである。
【００８７】
光ディスク１には、図１３（Ｃ）に示した２１６バイト＋３２バイトのデータのうち、先頭の５１バイトのダミーデータを除いた、１９７バイト（１５７６ビット）のデータのみが記録される（図１３（Ｄ））。ダミーデータは誤り訂正の符号長を２４８バイトとして、メインデータの誤り訂正符号と一致させる目的で付加した物であり、全てＦＦの既知のデータとなっているのでディスク上に記録する必要は無い。
【００８８】
１９７バイト（１５７ビット）のデータ群は、図１３（Ｅ）に示すように、４分割されて、３９４ビット毎のユニークＩＤユニットに分割される。そして、１つのユニークＩＤユニット（３９４ビット）が、１つのフィジカルクラスタ内に記録される。
【００８９】
ここで、ユニークＩＤユニット（３９４ビット）が記録されるフィジカルクラスタは、光ディスク１上の特定のフィジカルクラスタである。つまり、ユニークＩＤが追記されるフィジカルクラスタのアドレスは、予め定められているか、又は、その記録位置が光ディスク１の管理領域等に記録されており、再生側で認識できるようになっている。
【００９０】
さらに、ユニークＩＤが記録される特定のフィジカルクラスタ内の１７ＰＰ変調前のユーザデータ（ＢＩＳ、ＥＤＣ、ＥＣＣを除く情報系列）は、所定の値とされている。例えば、スクランブル処理が施される前の状態で、全て０とされたデータ列となっている。このため、もしユニークＩＤが追記されていないとした場合における上記特定のフィジカルクラスタ内のユーザデータの内容を、再生側で予め認識しておくことができる。
【００９１】
図１４は、特定のフィジカルクラスタ内おける３９４ビットのユニークＩＤ（ユニークＩＤユニット）の記録位置を示した図である。
【００９２】
ユニークＩＤユニットを構成する３９４ビットの各ビットは、フィジカルクラスタ内の１つのデータフレーム（１５５バイト（変調前）：１行）が対応付けされている。ユニークＩＤユニットを構成する各ビットの値（０又は１）は、対応付けされたそのデータフレーム内に記録される。つまり、フィジカルクラスタを構成する全４９６個のデータフレームのうちの３９４個のデータフレームに、ユニークＩＤユニット（３９４ビット）を構成する各ビットの値が記録される。
【００９３】
ただし、フィジカルクラスタの後段部分のデータフレームには誤り訂正符号（ＥＣＣ）が含められているが、この誤り訂正符号（ＥＣＣ）が含まれているデータフレームには、ユニークＩＤのビットの値は記録されない。
【００９４】
図１５は、ユニークＩＤの任意の１ビット（ｂＸ）が記録されるデータフレームを示している。
【００９５】
ユニークＩＤが記録されるデータフレームには、図１５に示すように、フレームシンクに続く連続した４バイトの第１の連続領域１１と、それに続く連続した４バイトの第２の連続領域１２とが設けられている。なお、ここでの連続した４バイトとは、１７ＰＰ変調が施される前の４バイトを意味している。
【００９６】
（ユニークＩＤの記録方法、再生方法）
このような２つの連続領域１１、１２が設定されたデータフレームに対して、ユニークＩＤの任意の１ビット（ｂＸ）は、次のように記録される。
【００９７】
ユニークＩＤのビットｂＸが“０”である場合には、図１６（Ａ）に示すように、第１の連続領域１１のある特定のランドに高出力レーザ光が照射され、そのランドがピット化される。
【００９８】
反対に、ユニークＩＤのビットｂＸが“１”である場合には、図１６（Ｂ）に示すように、第２の連続領域１２のある特定のランドに高出力レーザ光が照射され、そのランドがピット化される。
【００９９】
ここで、連続した４バイトのうち、レーザ光が照射されてピット化されるランドは、「もしそのランドがピットに置き換わったとしても、前後のビット列を含めた全体が１７ＰＰ変調及びＮＲＺＩ変換の変調ルールに従ったビット列となるランド」である。このようなランドのことを、以下「特定ランド」と呼ぶ。
【０１００】
ユニークＩＤを記録する場合、第１の連続領域１１及び第２の連続領域１２のそれぞれの「特定ランド」の位置を予め見つけ出しておき、ユニークＩＤのビット値が０であるか１であるかに応じて、第１の連続領域１１又は第２の連続領域１２のいずれか一方を選択し、選択した方の連続領域の特定ランドをピット化する。
【０１０１】
なお、ピット化する特定ランドは、同一の連続領域内のランドであれば、１つでなくても、複数であってもよい。つまり、連続領域内の複数の特定ランドをピット化してもよい。
【０１０２】
以上のように、「特定ランド」に対して高出力レーザ光を照射して、当該特定ランドをピット化することによって、強制的にランド/ピットのパターンが書き換えられる。ただし、強制的にランド/ピットのパターンが書き換えられたとしても、１７ＰＰ変調及びＮＲＺＩ変換の変調ルールに従っている。
【０１０３】
このため、高出力レーザ光によるユニークＩＤの追記後も、光ディスク１から当該特定のフィジカルクラスタのランド/ピットパターンを読み出して、ＮＲＺＩ変換及び１７ＰＰ変調の復調を通常通り行うことができる。
【０１０４】
このように通常通りに復調が可能であるとすると、通常の再生回路により、ユニークＩＤが記録された特定のフィジカルクラスタから、なんらかのユーザデータを読み出すことができる。なんらかのユーザデータが読み出せれば、その読み出した復調後のユーザデータと、レーザ追記処理する前のランド/ピットパターンから読み出されるべき本来のデータ（例えば、全て０のデータ）とを比較することによって、第１の連続領域１１又は第２の連続領域１２のうち、いずれにエラーが発生しているか（つまり、元のデータと異なっているか）を検出することができる。
【０１０５】
すなわち、あるデータフレームの第１の連続領域１１にエラーが発生していれば、そのデータフレームに対応付けされたユニークＩＤのビットの値は“０”であり、反対に、第２の連続領域１２にエラーが発生していれば、そのユニークＩＤのビットの値は“１”である。
【０１０６】
従って、光ディスク１では、以上のようにレーザ追記処理がされたユニークＩＤを、通常のユーザデータを再生及び復調する回路を用いて、検出することが可能となる。
【０１０７】
ただし、ユニークＩＤが追記されているフィジカルクラスタから読み出したデータに対して、エラー訂正処理を行ってしまった場合、ユニークＩＤのビット値が消滅してしまう。そのため、ユニークＩＤを検出する場合には、エラー訂正処理機能を停止する必要がある。
【０１０８】
以上のようにフィジカルクラスタに書き込まれたユニークＩＤは、次のようにユニークＩＤを読み出すことができる。
【０１０９】
図１７、図１８及び図１９は、特定のフィジカルクラスタから読み出され、ＮＲＺＩ変換及び１７ＰＰ変調の復調が行われた後のデータの論理ブロック（ＥＣＣブロック：ＥＤＣ、ＥＣＣが付加されている状態の３０４バイト×（２１６行＋３２行）データ）を示している。
【０１１０】
ユニークＩＤユニット（３９４ビット）の１ビット目（ｂ０）は、図１７に示すように、論理ブロックの第１行の、０、２、４、６、８、１０、１２、１４バイト目に格納されている。最初の４バイト（０、２、４、６バイト目）が第１の連続領域１１から読み出されたデータであり、後ろの４バイト（８、１０、１２、１４バイト目）が第２の連続領域１２から読み出されたデータである。
【０１１１】
従って、復調後の論理ブロックの０、２、４、６バイト目が元データと異なっているか（元データが０であれば、０でないか）、又は、８、１０、１２、１４バイト目が元データと異なっているか（元データが０であれば、０でないか）を判断することによって、ユニークＩＤユニットの１ビット目に対応するビットの値を検出することができる。
【０１１２】
ユニークＩＤユニット（３９４ビット）の２ビット目（ｂ１）は、図１８に示すように、論理ブロックの第１行の、１、３、５、７、９、１１、１３、１５バイト目に格納されている。最初の４バイト（１、３、５、７バイト目）が第１の連続領域１１から読み出されたデータであり、後ろの４バイト（９、１１、１３、１３バイト目）が第２の連続領域１２から読み出されたデータである。
【０１１３】
従って、復調後の論理ブロックの１、３、５、７バイト目が元データと異なっているか（元データが０であれば、０でないか）、又は、９、１１、１３、１５バイト目が元データと異なっているか（元データが０であれば、０でないか）を判断することによって、ユニークＩＤの２ビット目に対応するビットの値を検出することができる。
【０１１４】
図１９は、ユニークＩＤユニット（３９４ビット）の全てのビットに対する、第１の領域１１から読み出される４バイト分のデータの、論理ブロック上のバイト位置を示している。なお、図１９の論理ブロック内のバイト位置に記述している数字は、ユニークＩＤユニットのビット番号に対応している。
【０１１５】
この図１９に示すように、１行ずれる毎に６バイト分シフトが、インタリーブにより行われていることがわかる。
【０１１６】
この図１９に対応する各バイト位置を参照し、元データと異なっているか（元データが０であれば、０でないか）否かを判断することによって、ユニークＩＤの対応する各ビットの値を検出することができる。
【０１１７】
（４バイトとなっている理由、その他）
ところで、ユニークＩＤの１ビットがレーザ追記処理される、データフレーム内の連続領域（第１の連続領域１１及び第２の連続領域１２）は、上記の例では４バイトとしているが、これ以上の連続長であってもよい。
【０１１８】
４バイト以上とするのは、次の理由による。
【０１１９】
本方法によりユニークＩＤを追記するためには、スタンパでランド/ピットパターンを形作った際に、連続領域中に上述した「特定ランド」が存在していなければならない。しかしながら、連続領域の長さが短すぎると（例えば、１バイトといったように短い場合）、その連続領域中に「特定ランド」が発生しない可能性が高くなる。そのため、連続領域中のいずれかの位置（領域中のどこでもよい。）に、必ず特定ランドを発生させるために、充分な連続長としなければならない。
【０１２０】
本発明者は、ランダムな多数のデータパターンについて１７ＰＰ変調を行い、どれだけの長さを確保すればその連続領域中に図３に示したような「特定ランド」が発生する確率を非常に高くできるかを調査した。そうしたところ、４バイト以上であれば、元のデータ系列がどのようなパターンであっても、充分実用となる範囲で「特定ランド」が発生するという確証を得た。
【０１２１】
このような理由により、データフレーム内の連続領域（第１の連続領域１１及び第２の連続領域１２）の長さを、４バイト以上としている。
【０１２２】
なお、「特定ランド」としては、図２と図３に示した２種類が考えられる。まず、図２に示した場合には、（ピット-ランド-ピット）というパターンがディスク上に存在していて、高出力のレーザ光線を照射することにより中央部のピット部分を全てランド化してしまうものである。次に、図３に示した場合には、比較的長い（例えば４Ｔ以上）ピットとランドがディスク上に隣接した形で存在していて、その境界部分に高出力のレーザ光線を照射することにより、ピット・ランドの境界位置を所定クロックだけシフトするような場合である。
【０１２３】
この２種類の「特定ランド」に対して、これまで説明した説明した実施例が対象としているのは、図３に示した形の「特定ランド」を使ったユニークＩＤを記録する方法である。図２に示した形の「特定ランド」を使う実施例に関しては後述する。
【０１２４】
また、連続領域（第１の連続領域１１及び第２の連続領域１２）をフレームシンクに続く位置に設定をしているが、これは、フレームシンクで１７ＰＰ変調及びＮＲＺＩ変換が所定のパターンとなるため、レーザ追記処理やユニークＩＤ検出処理の容易化、ごみ等によるエラーの影響が連続領域に伝搬してしまうことを少なくするためである。とはいえ、必ずフレームシンクの直後に設ける必要もなく、図２０に示すように、データフレーム内の他の領域に設定してもよい。
【０１２５】
また、本例では、２つの連続領域を設けて、一方をビットの値が０の場合、他方をビットの値が１の場合に対応させている。しかしながら、このような方法に限らず、データフレーム中に連続領域を１つだけ設定して、ビットの値が０の場合にはその連続領域の特定ランドをピット化し、ビットの値が１の場合には何ら処理を行わない、というように記録してもよい。
【０１２６】
また、フィジカルクラスタ内には、ＥＣＣのみならず、エラー検出コード（ＥＤＣ）も記録されている。ＥＣＣは、フィジカルクラスタの後半のデータフレームに集中して記録されているが、ＥＤＣは、フィジカルクラスタ中に分散して記録されている。ユニークＩＤを追記する場合、このようにフィジカルクラスタ内に分散しているＥＤＣも、同様に避けることが望ましい。
【０１２７】
そこで、光ディスク１では、図２１に示すように、ＥＤＣの記録位置が、連続領域の位置と重複する場合には、そのデータフレームに対しては、ユニークＩＤのビットの対応付けを行わないようにするのが望ましい。
【０１２８】
このようにＥＤＣを避けてユニークＩＤを追記することによって、ＥＤＣを利用して誤り検出を行うことも可能となる。
【０１２９】
ディスクの製造方法
つぎに、以上のような光ディスク１の製造プロセスについて、図２２のフローを参照して説明をする。
【０１３０】
光ディスク１を製造する場合、まず、フォーマット化工程Ｓ１１を実行する。フォーマット化工程Ｓ１１は、コンピュータ等により実行される。
【０１３１】
フォーマット化工程Ｓ１１では、光ディスク１に格納するコンテンツデータ（ユーザデータ）と、ユニークＩＤが記録される特定のフィジカルクラスタに予め記録しておくユーザデータ（ベースデータ）とが入力される。
【０１３２】
フォーマット化工程Ｓ１１では、入力されたコンテンツデータ及びベースデータを、ＢＤに対応したフォーマットのデータ列に変換する。具体的には、誤り検出符号（ＥＤＣ）の付加処理、スクランブル処理、パリティ符号の付加、インタリーブ処理、ＢＩＳクラスタの付加処理等を行う。
【０１３３】
ここで、ベースデータは、全てが０の６４ｋバイトのデータである。すなわち、ユニークＩＤが記録されるフィジカルクラスタのユーザデータは、全て０となっている。しかしフォーマット化工程Ｓ１１においてスクランブル処理が施されるので、レーザ追記処理の前の状態では、１７ＰＰ変調前のデータ列は場所によって異なり、全て０とはならない。なお、本例では、ベースデータを０のデータ列としているが、ある特定のデータ列であってもよい。
【０１３４】
なお、この際、ベースデータが、光ディスク１のある特定のアドレスのフィジカルクラスタに記録されるように、ＢＩＳクラスタ等を付加してフォーマット化する。すなわち、ベースデータが、ユニークＩＤが記録される特定のフィジカルクラスタに記録されるように、フォーマット化する。
【０１３５】
続いて、可変長変調工程Ｓ１２を実行する。
【０１３６】
可変長変調工程Ｓ１２は、コンピュータ等により実行される。可変長変調工程Ｓ１２では、フォーマット化工程Ｓ１１でフォーマット化されたデータ列が入力される。可変長変調工程Ｓ１２では、入力されたデータ列に対して、１７ＰＰ変調及びＮＲＺＩ変換を行い、変調後のビット列を生成する。このビット列の０、１のパターンが、光ディスク１の記録トラックに形成されるピット/ランドパターンとなる。
【０１３７】
続いて、原盤生成工程Ｓ１３を行う。
【０１３８】
原盤生成工程Ｓ１３では、ガラス原盤にフォトレジストを塗布し、塗布したフォトレジストに対して生成したピット/ランドパターンに応じてレーザを照射して、記録トラックに沿った凹凸のパターンを形成する。続いて、凹凸のパターンを記録したレジストを現像処理して原盤上に定着処理し、原盤に表面に電解めっきを施こして金属原盤１４を作成する。
【０１３９】
続いて、ディスク成形工程Ｓ１５を行う。
【０１４０】
ディスク成形工程Ｓ１５では、作成された金属原盤をもとにスタンパ作成し、成形金型内にスタンパを配置して、射出成型機を用いてポリカーボネートやアクリル等の透明樹脂によりディスク基板１６を大量に形成する。
【０１４１】
このように作製された大量のディスク基板１６には、変調工程Ｓ１２で生成されたビット列に応じたランドとピットのパターンが、記録トラックに沿って形成されている。
【０１４２】
続いて、ユニークＩＤ追記工程Ｓ１７を行う。
【０１４３】
ユニークＩＤ追記工程Ｓ１７では、ＵＩＤ書き込み装置２０によって、媒体毎固有に発生されたユニークＩＤを、大量生成されたディスク基板１６の一つ一つに追加記録をしていく。
【０１４４】
ＵＩＤ書き込み装置２０は、大量に生産された同一の光ディスク１に対して、それぞれ個々のユニークＩＤを追加記録する装置である。
【０１４５】
ＵＩＤ書き込み装置２０は、例えば、図２３に示すように、光ディスク１に対して通常の再生時より充分高いエネルギのレーザ光を照射して、ユニークＩＤの各ビットを追記するＵＩＤライタ２１と、特定のフィジカルクラスタ、データフレーム及び特定ランド等のユニークＩＤの各ビットの書き込み位置検出するＵＩＤ検出部２２と、ユニークＩＤを発生するＵＩＤ発生部２３と、光ディスク１を回転駆動する駆動部２４等とを備えている。
【０１４６】
ＵＩＤライタ２１では、ＵＩＤ発生部２３から発生されるユニークＩＤのビット列に応じて、特定ランドに照射するためのレーザ光がスイッチングされる。
【０１４７】
ＵＩＤ発生部２３は、入力されたユニークＩＤの実体データが入力される。ＵＩＤ発生部２３は、入力された実体データに対して、エラー検出コード（ＥＤＣ）及びエラー訂正コード（ＥＣＣ）等を付加し、所定のフォーマットに加工する。ＵＩＤ発生部２３は、さらに、フォーマット化したビット列を、フィジカルクラスタ単位の３９４ビットの単位に分割したビット列に分割し、ＵＩＤライタ２１に出力する。
【０１４８】
このようなＵＩＤ書き込み装置２０では、駆動部２４が光ディスク１を回転させる。このとき、レーザ光が光ディスク１の記録トラックに沿ってトレースされる。ＵＩＤ検出部２２内部のメモリーには、予め光ディスク１上に記録されたピットとランドのパターンが記録されている。ＵＩＤ検出部２２は、実際に光ディスク１から読み出されたピットとランドのパターンと、メモリー内部に記録されているパターンとを比較することにより、光ディスク１上のレーザ光位置を知ることができる。また、ＵＩＤ検出部２２の信号により、レーザ光が記録トラック上の特定ランドに到達したことを検出することができる。
【０１４９】
ＵＩＤライタ２１は、ＵＩＤ検出部２２が特定ランドを検出すると、高出力レーザ光を照射する。ただしこの際、ＵＩＤライタ２１は、ＵＩＤ発生部２３から出力されたビット値に応じて、データフレーム内の第１の連続領域１１にレーザ光を照射するか、第２の連続領域１２にレーザ光を照射するか否かをスイッチングする。つまり、ビット値“０”を記録するのであれば第１の連続領域１１にレーザ光を照射し、ビット値“１”を記録するのであれば第２の連続領域１２にレーザ光を照射する、といったようにスイッチングをする。
【０１５０】
ＵＩＤライタ２１では、以上のように光ディスク１に設けられている複数のフィジカルクラスタの各データフレームに対してビット値を記録する。このことにより、光ディスク１に対してユニークＩＤを追加記録することが可能となる。
【０１５１】
以上のような各工程Ｓ１１〜Ｓ１７を実行することにより、光ディスク１を製造することができる。
【０１５２】
ディスクの製造方法（他の方法）
ところで、ユニークＩＤが付けられた光ディスク１の製造として、図２４に示すようなプロセスも考えられる。
【０１５３】
図２４に示す製造プロセスは、可変長変調工程Ｓ１２と原盤生成工程Ｓ１３との間にユニークＩＤ追記工程Ｓ１８を設け、ディスク成形工程Ｓ１５の後のユニークＩＤ追記工程Ｓ１７を無くしたものである。
【０１５４】
新たに設けたユニークＩＤ追記工程Ｓ１８では、可変長変調工程Ｓ１２から出力されたピット/ランドパターンのうち、所定のランド部分をピットに強制的に反転させるパターン反転処理を行うものである。つまり、新たに設けたユニークＩＤ追記工程Ｓ１８では、レーザを照射して物理的にユニークＩＤを追記するのではなく、原盤作成前の信号処理でユニークＩＤを追記する工程である。
【０１５５】
なお、ユニークＩＤの論理アドレスや物理アドレスは、レーザ照射処理で記録する場合とまったく同様である。また、パターンを反転すべきランド（特定ランド）も同一である。
【０１５６】
このように信号処理によるパターン反転でユニークＩＤを追記することによって、レーザ照射処理を行わなくて良いため、簡易的にユニークＩＤを付加することができる。また、光ディスク１のランドも、溶融する材料としなくてもよいため、ディスク材料の選択を広くすることができる。
【０１５７】
もっとも、信号処理によるパターン反転でユニークＩＤを追記すると、ディスク個々に固有の内容とすることはできなくなる。しかしながら、例えば、タイトル毎、又は、同じコンテンツでも販売地域毎や販売時期毎等で識別情報を変えることができるので、これらの情報に基づき海賊版や不正コピーに対する媒体管理を行うことができる。
【０１５８】
また、ユニークＩＤのうち、原盤単位で同一の部分については、当該信号処理によるパターン反転で追記し、それ以外の部分については、レーザ照射処理により追記するようにしてもよい。
【０１５９】
再生装置
つぎに、ユニークＩＤが追記された光ディスク１の再生装置について説明をする。
【０１６０】
図２５は、ユニークＩＤが追記された光ディスク１を再生する再生装置３０のブロック構成図である。
【０１６１】
再生装置３０は、ＢＤのコンテンツデータを通常の再生機能とともに、ユニークＩＤを再生する機能が設けられている。
【０１６２】
しかしながら、そのハードウェア構成は、ユニークＩＤが記録されていない通常のＢＤを再生する再生装置と同一の構成でよい。換言すれば、以上説明をしたユニークＩＤは、通常の再生装置のハードウェアを流用し、コントローラの動作制御を行うファームウェアのみを新たに追加するのみで、検出をすることができる。これは、ユニークＩＤが、コンテンツが記録される実際の情報記録部分に通常の可変長変調方式に従い埋め込まれていること、エラー検出符号やエラー訂正符号のアルゴリズムが実際の情報と同一であることによるものである。
【０１６３】
（装置構成）  
以下、具体的に再生装置３０の構成を説明する。
【０１６４】
再生装置３０は、図２５に示すように、光ディスク１を駆動する駆動部３１と、光ディスク１にレーザ光を照射してその反射光を検出する光学ヘッド３２と、光学ヘッド（ＯＰ）３２の検出信号に基づき、再生信号及びフォーカスエラー信号等の制御信号を生成するアナログ信号処理回路３３と、アナログ信号処理回路３３により検出された制御信号に基づき各種サーボ制御を行うサーボ回路３４とを備えている。
【０１６５】
また、再生装置３０は、光ディスク１から再生された信号に対して再生処理をする再生部３５と、再生部３５により再生されたユーザデータを格納するメモリ３６と、当該装置全体の制御及び各種情報処理を行う制御/情報処理部３７とを備えている。
【０１６６】
再生部３５は、アナログ信号処理回路３３から出力された記録トラックの再生信号（すなわち、記録トラックのピット/ランドパターンに応じた信号）が入力される。
【０１６７】
再生部３５は、入力された再生信号に対してＰＲＭＬの等化及び２値化をするＰＲＭＬ等化回路４１と、ＰＲＭＬ等化された再生データ列に対してＮＲＺＩ変換、１７ＰＰ変調の復調を行うデコード回路４２と、デコード回路の出力に対してエラー訂正処理を行うＥＣＣデコーダ４３とを備えている。
【０１６８】
（通常再生処理）  
以上のような構成の再生部３５では、通常のコンテンツデータを再生する場合、つぎのような動作を行う。
【０１６９】
すなわち、再生部３５は、回転駆動されている光ディスク１から光学ヘッド３２により読み取られたピット/ランドのパターン信号から、クロックを再生し、ＰＲＭＬ等化、１７ＰＰ変調の復調、エラー訂正処理を行い、光ディスク１に記録された情報を再生する。再生部３５により再生された情報は、メモリ３６に一旦蓄積され、外部に出力される。
【０１７０】
（ユニークＩＤ検出処理）
また、ユニークＩＤを検出する場合には、次のような動作を行う。
【０１７１】
まず、制御/情報処理部３７が、ユニークＩＤが記録されている特定のフィジカルクラスタのアドレスをサーボ制御回路３４に与え、当該特定のフィジカルクラスタの読み出し命令を発行する。読み出し命令が発行されると、サーボ制御回路３４は、駆動部３１及び光学ヘッド３２を制御して、指定されたフィジカルクラスタに記録されている情報の読み出しを開始する。
【０１７２】
再生部３５は、光学ヘッド３２により読み取られたピット/ランドのパターン信号から、クロックを再生し、ＰＲＭＬ等化、１７ＰＰ変調の復調を行い、光ディスク１の上記特定のフィジカルクラスタに記録された情報を再生する。再生部３５により再生された情報は、メモリ３６に蓄積される。
【０１７３】
ただし、このとき、１７ＰＰ変調の復調がされたデータ列は、エラー訂正がされずに、そのままメモリ３６に格納される。また、メモリ３６に格納された情報は、外部には出力されない。
【０１７４】
制御/情報処理部３７は、メモリ３６に格納された特定のフィジカルクラスタから読み出されたデータを参照し、ＥＣＣデコーダ４３に対してユニークＩＤのエラー訂正処理を行わせ、光ディスク１に記録されているユニークＩＤの内容を検出する。
【０１７５】
すなわち、制御/情報処理部３７は、メモリ３６に格納された情報と、ユニークＩＤが追記される前の本来のデータ（例えば、全て０のデータ）とを比較し、データが異なっている部分を特定して、ユニークＩＤの内容を判断する。
【０１７６】
制御/情報処理部３７は、ユニークＩＤを検出すると、そのユニークＩＤの内容に基づき、各種の処理を行う。
【０１７７】
（多数決によるユニークＩＤ検出処理）
ところで、本例の場合、ユニークＩＤのビットの値が０であれば、対応するデータフレームの第１の連続領域１１の特定ランドがピット化され、ユニークＩＤのビットの値が０であれば、対応するデータフレームの第２の連続領域１２の特定ランドがピット化される。
【０１７８】
つまり、再生側からみれば、第１の連続領域１１にエラーが発生していれば、対応するユニークＩＤのビットの値は０であり、第２の連続領域１２にエラーが発生していれば、対応するユニークＩＤのビットの値は１であるといえる。
【０１７９】
そのため、図２６に示すように、第１の連続領域１１から検出されるエラー数（err_cnt0[0]）と、第２の連続領域１２から検出されるエラー数（err_cnt0[1]）との大小を比較して、ビット値の判断を行うようにすると、判断制度を向上させることができる。
【０１８０】
以下、図２７を参照して、当該判断フローを説明する。
【０１８１】
ユニークＩＤの任意の１ビット（ビットｂＸ）の値を判断する場合、制御/演算処理部３７は、ステップＳ２１から処理を開始する
まず、ステップＳ２１において、制御/演算処理部３７は、第１の連続領域１１から読み出されたデータ列のうちのエラーとなっているビット数（元のデータと異なっているビット数）を算出する。なお、第１の連続領域１１のエラービット数を、err_cnt_x[0]とする。
【０１８２】
続いて、ステップＳ２２において、制御/演算処理部３７は、第２の連続領域１２から読み出されたデータ列のうちのエラーとなっているビット数（元のデータと異なっているビット数）を算出する。なお、第２の連続領域１２のエラービット数を、err_cnt_x[1]とする。
【０１８３】
続いて、ステップＳ２３において、制御/演算処理部３７は、err_cnt_x[0]＞Ｎ  又は、err_cnt_x[1]＞Ｎであるかを判断する。Ｎは、任意の自然数である（例えば、Ｎ＝５）。err_cnt_x[0]＞Ｎ  又は、err_cnt_x[1]＞Ｎである場合（ステップＳ２３のＹＥＳ）には、ビットｂＸの値が「無効」であると判断して処理を終了する。これは第１の連続領域１１又は第２の連続領域１２のいずれか一方（又は両方）で所定数以上のエラービットが発生している場合は不正にユニークＩＤを後から不正に変更したとも考えられ、このような不正追記を許さないように、所定数以上のエラーが発生した場合には、そのビットについては無効であると判断しているためである。
【０１８４】
err_cnt_x[0]＞Ｎ  又は、err_cnt_x[1]＞Ｎでない場合（ステップＳ２３のＮＯ）には、ステップＳ２４に進む。
【０１８５】
続いて、ステップＳ２４において、制御/演算処理部３７は、err_cnt_x[0]＝err_cnt_x[1]であるか否かを判断する。err_cnt_x[0]＝err_cnt_x[1]である場合（ステップＳ２４のＹＥＳ）には、ビットｂＸの値が「無効」であると判断して処理を終了する。すなわち、判断が付かない場合には、そのビットについては無効であると判断している。
【０１８６】
err_cnt_x[0]＝err_cnt_x[1]でない場合（ステップＳ２４のＮＯ）には、ステップＳ２５に進む。
【０１８７】
続いて、ステップＳ２５において、制御/演算処理部３７は、err_cnt_x[0]＞err_cnt_x[1]であるか否かを判断する。
【０１８８】
err_cnt_x[0]＞err_cnt_x[1]である場合（ステップＳ２４のＹＥＳ）には、ビットｂＸの値が「０」であると判断して処理を終了する。
【０１８９】
err_cnt_x[0]＞err_cnt_x[1]でない場合（ステップＳ２４のＮＯ）には、ビットｂＸの値が「１」であると判断して処理を終了する。
【０１９０】
（変形例）
以上に説明した方法は、簡単であるがいくつかの問題点も含んでいる。以下では、これらの問題点を解決して、さらに良好なユニークＩＤの記録を実現する方法について説明する。
【０１９１】
第一の問題点は、ＤＣコントロールビットである。図１４で説明した実施例においては、フレームシンク直後の８バイト（４バイトｘ２領域）を使ってユニークＩＤを記録するものであった。しかし、この８バイトの区間には、ＤＣコントロールビットが挿入されている。即ち、ユニークＩＤの記録を行って１７ＰＰ変調されたパターンを変化させても、運悪く１７ＰＰ復号後のデータの変化がＤＣコントロールビットだけに留まる場合が存在する。ＤＣコントロールビットの情報は除去されてしまって検出することができないので、ユニークＩＤのデータとしては検出できないおそれがあった。
【０１９２】
このような問題点を解決する第１の変形例として、図２８に示すように、第１連続領域１１及び第２連続領域１２の両方を、ＤＣコントロールビットを含まない領域に設定する。
【０１９３】
具体的に、この第１の変形例では、第１連続記録領域１１をフレームシンク後８２ビット離れた位置に設定している。この位置は、フレームシンクと第１連続記録領域の間にＤＣコントロールビットが２ヶ所含まれている。１７ＰＰ変調は２ビット単位で行うので、このように２ビット（偶数個）のＤＣコントロールビットが挿入されている場合には、記録データの区切りがＤＣコントロールビットによって影響されないという特徴がある。また、第１連続記録領域１１は、フレームシンクから１０バイト経過した位置になっている。このようにバイト単位でも区切りが良いので、ユーザデータとの対応を簡単に求めることができる。
【０１９４】
また、この第１の変形例では、具体的に、第２連続記録領域１２をフレームシンクから１６４ビット離れた位置に設定している。この位置も同様に、記録データの区切りがＤＣコントロールビットによって影響されず、且つ、バイト単位でも区切りが良い。
【０１９５】
第１の変形例では、このような位置に第１及び第２の連続記録領域１１，１２を配置することにより、ＤＣコントロールビットの影響を排除して、バイト単位での演算で安定なユニークＩＤの検出が可能となる。
【０１９６】
第二の問題点は、「特定ランド」のパターンとして、図３に示したパターンしか使えないことであった。
【０１９７】
第２の変形例では、この問題点を解決して、図２あるいは図３の両方に示す「特例ランド」の両方が使用可能とし、ＰＩＤ追記の際の自由度を大きくし、ＰＩＤライタを作りやすくすることができる。
【０１９８】
図２９〜図３２は、このような問題点を解決するため第２の変形例を説明するための図である。
【０１９９】
第２の変形例では、ベースデータとして第１連続記録領域１１と第２連続記録領域１２に記録されるデータ（１７ＰＰ変調直前）が次の４バイト  （８７，８Ｆ，８８，８Ａ）となるように準備してマスタリングを行い、スタンパと成形ディスクを作成する。このようなベースデータが１７ＰＰ変調されて４バイトの連続記録領域に記録されていれば、ディスク上には次のパターン、
“001 000 100 101 001 010 100 101 001 010 000 010 000 010 000 001”
をＮＲＺＩ変調したパターンが記録される。
【０２００】
このようなパターンであれば、図２と図３の両方に示す「特定ランド」が現れるので、記録方法の選択肢が増えて記録装置を簡略化することが可能となる可能性がある。
【０２０１】
すなわち、図２９に示すように、１７ＰＰ変調した結果として第１バイト（１７ＰＰ変調後のデータ列における最初の１２ビット）の最後には、“１０１”のパターンが必ず現れる。この部分はディスク上で２Ｔのパターンとなる。この２Ｔパターンがランドとなっていれば「特定ランド」としてユニークＩＤの記録が可能となる。同様に第２バイト（１７ＰＰ変調後のデータ列における第１３ビットから第２４ビット）にも、図３０に示すように１０１のパターンが現れ、２Ｔパターンを形成する。
【０２０２】
第１バイトと第２バイトの２ヶ所に２Ｔパターンが現れるが、この間に奇数個の“１”が挿入されているのでＮＲＺＩ変調した結果、第１バイトと第２バイトの２Ｔパターンは必ず極性が異なるようになっている。
【０２０３】
従って、図３３（ａ）及び図３３（ｂ）に示すように、第１バイトあるいは第２バイト、どちらか一方の２Ｔパターンは必ずランドとなっているのである。このようにして、どちらかに必ず存在する２Ｔランドに強いパワーのレーザ光線を照射することにより、ピット化することが可能である。これらの２Ｔパターンは、ランド化された場合にも正しい１７ＰＰの変調パターンを維持するようなパターンが選ばれている。具体的には、第１バイトは“８２”のデータに変化し、第２バイトは“８０”のデータにそれぞれ変化するようになっている。
【０２０４】
また、図３１及び図３２に示すように第３バイト（１７ＰＰ変調後のデータ列における第２５ビットから第３６ビット）と第４バイト（１７ＰＰ変調後のデータ列における第３７ビットから第４８ビット）においては、ピットエッジの位置が１Ｔ分シフトした場合においても、正しい１７ＰＰの変調パターンとして復号されるようなパターンが選択されて記録されている。
【０２０５】
第３バイト及び第４バイトでも、それぞれピットエッジの位置が１Ｔ分シフトする位置の極性が互いに異なるように構成されている。従って、図３３（ａ）及び図３３（ｂ）に示すように、第３バイトあるいは第４バイト、どちらか一方のエッジパターンは必ずランドとなっているのである。具体的には、第３バイトは“８Ａ”のデータに、第４バイトは“ＣＡ”のデータにそれぞれ変化するようになっている。
【０２０６】
以上述べたように、ベースデータとして（８７，８Ｆ，８８，８Ａ）の４バイトを採用することにより、２Ｔランドをピット化する方法と、長めのピット・ランドの区切り位置をシフトする方法の２通りの記録方法で、ユニークＩＤを記録することが可能となる。この結果、記録装置の設計及び製造が簡単になるという効果がある。
【０２０７】
効果及び適用例
以上のように、本発明が適用された光ディスク１では、１７ＰＰ変調等の可変長変調がされた再生専用のブルーレイディスク（商標）に対して、媒体毎又はタイトル毎の識別管理を行うためのユニークＩＤを記録することができる。
【０２０８】
また、本例では、媒体毎又はタイトル毎の識別情報をユニークＩＤとして記録するようにしているが、ディスク一枚一枚異なるプログラムやコンテンツデータが再生されるように制御する制御情報をユニークＩＤとして記録してもよい。
【０２０９】
ディスク一枚一枚異なるプログラムやコンテンツデータが再生されるようにすれば、例えば、ゲームプログラムであれば、一枚一枚異なった展開のゲームができるようになる。また、映画であれば、購入したディスクによって部分的にストーリーが異なるようにすることも可能である。また、ユニークＩＤの内容を発売直前に少しずつ変えて出荷することも可能である。例えば、工場で大量生産した光ディスクをストックしておき、実際に出荷するときに、出荷地方別（大阪、東京）に、映画やゲームのストーリの結末を変えることも可能である。
【図面の簡単な説明】
【０２１０】
【図１】本発明を適用した光ディスクを示した図である。
【図２】レーザ光により溶融する前及び溶融した後のランド/ピットパタンを示す図である。
【図３】レーザ光により溶融する前及び溶融した後の他のランド/ピットパタンを示す図である。
【図４】誤り検出コード（ＥＤＣ）が付加された状態のデータフォーマットを示す図である。
【図５】誤り訂正コード（ＥＣＣ）が付加された状態のデータフォーマットを示す図である。
【図６】ＢＩＳのフォーマットを示す図である。
【図７】フィジカルクラスタとリンキングエリアの関係を示す図である。
【図８】アドレスユニットのデータ構成を示す図である。
【図９】データフレームの構成を示す図である。
【図１０】フィジカルクラスタのデータ構成を示す図である。
【図１１】１７ＰＰ変調の変換テーブルを示した図である。
【図１２】フレームシンクのビットパターンを示した図である。
【図１３】ユニークＩＤのフォーマットを示す図である。
【図１４】ユニークＩＤのフィジカルクラスタ上の書き込み位置を示す図である。
【図１５】データフレーム中のユニークＩＤの記録領域を示す図である。
【図１６】ビットの内容が０及び１のそれぞれの場合でのデータフレーム中の書き込み領域を示した図である。
【図１７】ユニークＩＤユニット（３９４ビット）の１ビット目（ｂ０）が含まれている論理ブロック上のバイト位置を示す図である。
【図１８】ユニークＩＤユニット（３９４ビット）の２ビット目（ｂ１）が含まれている論理ブロック上のバイト位置を示す図である。
【図１９】ユニークＩＤユニット（３９４ビット）の各ビットの論理ブロック上のバイト位置を示す図である。
【図２０】連続領域がフレームシンクに続く領域に存在していない場合のフィジカルフレームを示した図である。
【図２１】ＥＤＣを避けて連続領域を設けたフィジカルフレームを示した図である。
【図２２】レーザ追記処理によりユニークＩＤを記録する場合の光ディスクの製造プロセスの流れを示す図である。
【図２３】ＵＩＤ書き込み装置のブロック構成を示す図である。
【図２４】パタン反転処理によりユニークＩＤを記録する場合の光ディスクの製造プロセスの流れを示す図である。
【図２５】光ディスクの再生装置のブロック構成を示す図である。
【図２６】エラー数の大小を比較してビット値の判断を行うよう際のフィジカルフレームに発生しているエラー数を示す図である。
【図２７】エラー数の大小を比較してビット値の判断を行う処理手順を示すフローチャートである。
【図２８】ＤＣコントロールコードを避けてＰＩＤを記録する第１の変形例を説明するための図である。
【図２９】第２の変形例において４バイトの連続領域の１ビット目をピット化する場合について説明をする図である。
【図３０】第２の変形例において４バイトの連続領域の１ビット目をピット化する場合について説明をする図である。
【図３１】第２の変形例において４バイトの連続領域の１ビット目をピット化する場合について説明をする図である。
【図３２】第２の変形例において４バイトの連続領域の１ビット目をピット化する場合について説明をする図である。
【図３３】第２の変形例において４バイトの連続領域のランドをピット化する位置を示した図である。
【符号の説明】
【０２１１】
１  光ディスク、２０  ＵＩＤ書き込み装置、３０  再生装置
【図１】
2006134385.tif 000003
【図２】
2006134385.tif 000004
【図３】
2006134385.tif 000005
【図４】
2006134385.tif 000006
【図５】
2006134385.tif 000007
【図６】
2006134385.tif 000008
【図７】
2006134385.tif 000009
【図８】
2006134385.tif 000010
【図９】
2006134385.tif 000011
【図１０】
2006134385.tif 000012
【図１１】
2006134385.tif 000013
【図１２】
2006134385.tif 000014
【図１３】
2006134385.tif 000015
【図１４】
2006134385.tif 000016
【図１５】
2006134385.tif 000017
【図１６】
2006134385.tif 000018
【図１７】
2006134385.tif 000019
【図１８】
2006134385.tif 000020
【図１９】
2006134385.tif 000021
【図２０】
2006134385.tif 000022
【図２１】
2006134385.tif 000023
【図２２】
2006134385.tif 000024
【図２３】
2006134385.tif 000025
【図２４】
2006134385.tif 000026
【図２５】
2006134385.tif 000027
【図２６】
2006134385.tif 000028
【図２７】
2006134385.tif 000029
【図２８】
2006134385.tif 000030
【図２９】
2006134385.tif 000031
【図３０】
2006134385.tif 000032
【図３１】
2006134385.tif 000033
【図３２】
2006134385.tif 000034
【図３３】
2006134385.tif 000035